(57)【要約】      （修正有）【課題】完全接続トポロジーにより構成される複数のルーティングエンジンを有する完全重複線形拡張可能な配信ルータを提供する。【解決手段】完全重複線形拡張可能なルータは、第１から第４ルータコンポーネントから構成される。各ルータコンポーネントは、第１、第２ルーティングエンジンを有する。各ルータコンポーネントの第１ルーティングエンジン同士はメッシュ接続され、第２ルーティングエンジン同士もメッシュ接続の構成とする。【選択図】図１
2011030248.tif 000002
【特許請求の範囲】
【請求項１】
入力側と出力側を有する第１ルーティングエンジンと、入力側と出力側を有する第２ルーティングエンジンとを有する第１ルータコンポーネントと、
入力側と出力側を有する第３ルーティングエンジンと、入力側と出力側を有する第４ルーティングエンジンとを有する第２ルータコンポーネントと、
入力側と出力側を有する第５ルーティングエンジンと、入力側と出力側を有する第６ルーティングエンジンとを有する第３ルータコンポーネントと、
前記第１ルーティングエンジンの入力側と、前記第３ルーティングエンジンの入力側とを接続する第１リンクと、
前記第１ルーティングエンジンの入力側と、前記第５ルーティングエンジンの入力側とを接続する第２リンクと、
前記第３ルーティングエンジンの入力側と、前記第５ルーティングエンジンの入力側とを接続する第３リンクと、
前記第２ルーティングエンジンの入力側と、前記第４ルーティングエンジンの入力側とを接続する第４リンクと、
前記第２ルーティングエンジンの入力側と、前記第６ルーティングエンジンの入力側とを接続する第５リンクと、
前記第４ルーティングエンジンの入力側と、前記第６ルーティングエンジンの入力側とを接続する第６リンクと、
から構成される完全重複線形拡張可能なルータであって、
前記第１、第３及び第５ルーティングエンジンと、前記第２、第４及び第６ルーティングエンジンとは、それぞれ完全接続トポロジーにより構成されることを特徴とするルータ。
【請求項２】
請求項１記載の完全重複線形拡張可能なルータであって、
前記第１、第２、第３、第４、第５及び第６ルーティングエンジンのそれぞれは、前記各自の入力側へのＮ個の入力と、前記各自の出力側からのＭ個の出力とを有し、
前記第２ルーティングエンジンに対する前記Ｎ個の入力と前記Ｍ個の出力は、前記第１ルーティングエンジンに対する前記Ｎ個の入力と前記Ｍ個の出力と重複したものであり、
前記第４ルーティングエンジンに対する前記Ｎ個の入力と前記Ｍ個の出力は、前記第３ルーティングエンジンに対する前記Ｎ個の入力と前記Ｍ個の出力と重複したものであり、
前記第６ルーティングエンジンに対する前記Ｎ個の入力と前記Ｍ個の出力は、前記第５ルーティングエンジンに対する前記Ｎ個の入力と前記Ｍ個の出力と重複したものであり、
前記第１、第２、第３、第４、第５及び第６ルーティングエンジンから構成される該線形拡張可能なルータは、３Ｎ個の入力と３Ｍ個の出力を有する、
ことを特徴とするルータ。
【請求項３】
請求項２記載の完全重複線形拡張可能なルータであって、
前記第１リンクは、前記第１ルーティングエンジンへの前記Ｎ個の入力を前記第３ルーティングエンジンの入力側にそれへの第１のＮ個の追加的入力として与え、前記第３ルーティングエンジンへのＮ個の入力を前記第１ルーティングエンジンの入力側にそれへの第１のＮ個の追加的入力として与え、
前記第２リンクは、前記第１ルーティングエンジンへの前記Ｎ個の入力を前記第５ルーティングエンジンの入力側にそれへの第１のＮ個の追加的入力として与え、前記第５ルーティングエンジンへのＮ個の入力を前記第１ルーティングエンジンの入力側にそれへの第２のＮ個の追加的入力として与え、
前記第３リンクは、前記第３ルーティングエンジンへの前記Ｎ個の入力を前記第５ルーティングエンジンの入力側にそれへの第２のＮ個の追加的入力として与え、前記第５ルーティングエンジンへのＮ個の入力を前記第３ルーティングエンジンの入力側にそれへの第２のＮ個の追加的入力として与え、
前記第４リンクは、前記第２ルーティングエンジンへの前記Ｎ個の重複入力を前記第４ルーティングエンジンの入力側にそれへの第１のＮ個の追加的重複入力として与え、前記第４ルーティングエンジンへのＮ個の重複入力を前記第２ルーティングエンジンの入力側にそれへの第１のＮ個の追加的重複入力として与え、
前記第５リンクは、前記第２ルーティングエンジンへの前記Ｎ個の重複入力を前記第６ルーティングエンジンの入力側にそれへの第１のＮ個の追加的重複入力として与え、前記第６ルーティングエンジンへのＮ個の重複入力を前記第２ルーティングエンジンの入力側にそれへの第２のＮ個の追加的重複入力として与え、
前記第６リンクは、前記第４ルーティングエンジンへの前記Ｎ個の重複入力を前記第６ルーティングエンジンの入力側にそれへの第２のＮ個の追加的重複入力として与え、前記第６ルーティングエンジンへのＮ個の重複入力を前記第４ルーティングエンジンの入力側にそれへの第２のＮ個の追加的重複入力として与える、
ことを特徴とするルータ。
【請求項４】
請求項１記載の完全重複線形拡張可能なルータであって、さらに、
入力側と出力側を有する第７ルーティングエンジンと、入力側と出力側を有する第８ルーティングエンジンとを有する第４ルータコンポーネントと、
前記第１ルーティングエンジンの入力側と、前記第７ルーティングエンジンの入力側とを接続する第７リンクと、
前記第３ルーティングエンジンの入力側と、前記第７ルーティングエンジンの入力側とを接続する第８リンクと、
前記第５ルーティングエンジンの入力側と、前記第７ルーティングエンジンの入力側とを接続する第９リンクと、
前記第２ルーティングエンジンの入力側と、前記第８ルーティングエンジンの入力側とを接続する第１０リンクと、
前記第４ルーティングエンジンの入力側と、前記第８ルーティングエンジンの入力側とを接続する第１１リンクと、
前記第６ルーティングエンジンの入力側と、前記第８ルーティングエンジンの入力側とを接続する第１２リンクと、
を有し、
前記第１、第３、第５及び第７ルーティングエンジンと、前記第２、第４、第６及び第８ルーティングエンジンとは、それぞれ完全接続トポロジーにより構成されることを特徴とするルータ。
【請求項５】
請求項４記載の完全重複線形拡張可能なルータであって、
前記第１、第２、第３、第４、第５、第６、第７及び第８ルーティングエンジンのそれぞれは、前記各自の入力側へのＮ個の入力と、前記各自の出力側からのＭ個の出力とを有し、
前記第２ルーティングエンジンに対する前記Ｎ個の入力と前記Ｍ個の出力は、前記第１ルーティングエンジンに対する前記Ｎ個の入力と前記Ｍ個の出力と重複したものであり、
前記第４ルーティングエンジンに対する前記Ｎ個の入力と前記Ｍ個の出力は、前記第３ルーティングエンジンに対する前記Ｎ個の入力と前記Ｍ個の出力と重複したものであり、
前記第６ルーティングエンジンに対する前記Ｎ個の入力と前記Ｍ個の出力は、前記第５ルーティングエンジンに対する前記Ｎ個の入力と前記Ｍ個の出力と重複したものであり、
前記第８ルーティングエンジンに対する前記Ｎ個の入力と前記Ｍ個の出力は、前記第７ルーティングエンジンに対する前記Ｎ個の入力と前記Ｍ個の出力と重複したものであり、
前記第１、第２、第３、第４、第５、第６、第７及び第８ルーティングエンジンから構成される該線形拡張可能なルータは、４Ｎ個の入力と４Ｍ個の出力を有することを特徴とするルータ。
【請求項６】
請求項５記載の完全重複線形拡張可能なルータであって、
前記第１リンクは、前記第１ルーティングエンジンへの前記Ｎ個の入力を前記第３ルーティングエンジンの入力側にそれへの第１のＮ個の追加的入力として与え、前記第３ルーティングエンジンへのＮ個の入力を前記第１ルーティングエンジンの入力側にそれへの第１のＮ個の追加的入力として与え、
前記第２リンクは、前記第１ルーティングエンジンへの前記Ｎ個の入力を前記第５ルーティングエンジンの入力側にそれへの第１のＮ個の追加的入力として与え、前記第５ルーティングエンジンへのＮ個の入力を前記第１ルーティングエンジンの入力側にそれへの第２のＮ個の追加的入力として与え、
前記第３リンクは、前記第３ルーティングエンジンへの前記Ｎ個の入力を前記第５ルーティングエンジンの入力側にそれへの第２のＮ個の追加的入力として与え、前記第５ルーティングエンジンへのＮ個の入力を前記第３ルーティングエンジンの入力側にそれへの第２のＮ個の追加的入力として与え、
前記第４リンクは、前記第２ルーティングエンジンへの前記Ｎ個の重複入力を前記第４ルーティングエンジンの入力側にそれへの第１のＮ個の追加的重複入力として与え、前記第４ルーティングエンジンへのＮ個の重複入力を前記第２ルーティングエンジンの入力側にそれへの第１のＮ個の追加的重複入力として与え、
前記第５リンクは、前記第２ルーティングエンジンへの前記Ｎ個の重複入力を前記第６ルーティングエンジンの入力側にそれへの第１のＮ個の追加的重複入力として与え、前記第６ルーティングエンジンへのＮ個の重複入力を前記第２ルーティングエンジンの入力側にそれへの第２のＮ個の追加的重複入力として与え、
前記第６リンクは、前記第４ルーティングエンジンへの前記Ｎ個の重複入力を前記第６ルーティングエンジンの入力側にそれへの第２のＮ個の追加的重複入力として与え、前記第６ルーティングエンジンへのＮ個の重複入力を前記第４ルーティングエンジンの入力側にそれへの第２のＮ個の追加的重複入力として与え、
前記第７リンクは、前記第１ルーティングエンジンへの前記Ｎ個の入力を前記第７ルーティングエンジンの入力側にそれへの第１のＮ個の追加的入力として与え、前記第７ルーティングエンジンへのＮ個の入力を前記第１ルーティングエンジンの入力側にそれへの第３のＮ個の追加的入力として与え、
前記第８リンクは、前記第３ルーティングエンジンへの前記Ｎ個の入力を前記第７ルーティングエンジンの入力側にそれへの第２のＮ個の追加的入力として与え、前記第７ルーティングエンジンへのＮ個の入力を前記第３ルーティングエンジンの入力側にそれへの第３のＮ個の追加的入力として与え、
前記第９リンクは、前記第５ルーティングエンジンへの前記Ｎ個の入力を前記第７ルーティングエンジンの入力側にそれへの第３のＮ個の追加的入力として与え、前記第７ルーティングエンジンへのＮ個の入力を前記第５ルーティングエンジンの入力側にそれへの第３のＮ個の追加的入力として与え、
前記第１０リンクは、前記第２ルーティングエンジンへの前記Ｎ個の重複入力を前記第８ルーティングエンジンの入力側にそれへの第１のＮ個の追加的重複入力として与え、前記第８ルーティングエンジンへのＮ個の重複入力を前記第２ルーティングエンジンの入力側にそれへの第３のＮ個の追加的重複入力として与え、
前記第１１リンクは、前記第４ルーティングエンジンへの前記Ｎ個の重複入力を前記第８ルーティングエンジンの入力側にそれへの第２のＮ個の追加的重複入力として与え、前記第８ルーティングエンジンへのＮ個の重複入力を前記第４ルーティングエンジンの入力側にそれへの第３のＮ個の追加的重複入力として与え、
前記第１２リンクは、前記第６ルーティングエンジンへの前記Ｎ個の重複入力を前記第８ルーティングエンジンの入力側にそれへの第３のＮ個の追加的重複入力として与え、前記第８ルーティングエンジンへのＮ個の重複入力を前記第６ルーティングエンジンの入力側にそれへの第３のＮ個の追加的重複入力として与える、
ことを特徴とするルータ。
【請求項７】
各自が第１ルータマトリックスと該第１ルータマトリックスの重複である第２ルータマトリックスとを有する少なくとも３つの配信ルータコンポーネントと、
前記少なくとも３つの配信ルータコンポーネントの第１ルータマトリックスを第１完全接続トポロジーにより接続する手段と、
前記少なくとも３つの配信ルータコンポーネントの第２ルータマトリックスを第２完全接続トポロジーにより接続する手段と、
から構成される完全重複線形拡張可能な配信ルータ。
【請求項８】
請求項７記載の完全重複線形拡張可能なルータであって、
前記第１ルータマトリックスの各々はさらに、入力側と出力側とが接続されるルーティングエンジンを有し、
前記第２ルータマトリックスの各々はさらに、入力側と出力側とが接続されるルーティングエンジンを有する、
ことを特徴とするルータ。
【請求項９】
請求項８記載の完全重複線形拡張可能なルータであって、
前記第１及び第２ルータマトリックスのそれぞれに対する前記ルーティングエンジンは、前記各自の入力側に接続されるＮ個の入力を有することを特徴とするルータ。
【請求項１０】
請求項９記載の完全重複線形拡張可能なルータであって、
前記第２ルータマトリックスの第１のルータマトリックスの前記ルーティングエンジンへのＮ個の入力は、前記第１ルータマトリックスの第１のルータマトリックスの前記ルーティングエンジンへのＮ個の入力の重複したものであることを特徴とするルータ。
【請求項１１】
請求項１０記載の完全重複線形拡張可能なルータであって、
前記第２ルータマトリックスの第２のルータマトリックスの前記ルーティングエンジンへのＮ個の入力は、前記第１ルータマトリックスの第２のルータマトリックスの前記ルーティングエンジンへのＮ個の入力の重複したものであることを特徴とするルータ。
【請求項１２】
請求項１１記載の完全重複線形拡張可能なルータであって、
前記第２ルータマトリックスの第３のルータマトリックスの前記ルーティングエンジンへのＮ個の入力は、前記第１ルータマトリックスの第３のルータマトリックスの前記ルーティングエンジンへのＮ個の入力の重複したものであることを特徴とするルータ。
【請求項１３】
完全重複線形拡張可能なルータであって、
各自が入力側と出力側を有する第１、第２、第３、第４、第５及び第６ルータマトリックスと、
前記第１ルータマトリックスの入力側と前記第３ルータマトリックスの入力側とを接続する第１個別リンクと、
前記第１ルータマトリックスの入力側と前記第５ルータマトリックスの入力側とを接続する第２個別リンクと、
前記第３ルータマトリックスの入力側と前記第５ルータマトリックスの入力側とを接続する第３個別リンクと、
前記第２ルータマトリックスの入力側と前記第４ルータマトリックスの入力側とを接続する第４個別リンクと、
前記第２ルータマトリックスの入力側と前記第６ルータマトリックスの入力側とを接続する第５個別リンクと、
前記第４ルータマトリックスの入力側と前記第６ルータマトリックスの入力側とを接続する第６個別リンクと、
から構成され、
前記第２、第４及び第６ルータマトリックスは、それぞれ前記第１、第３及び第５ルータマトリックスの重複であることを特徴とするルータ。
【請求項１４】
請求項１３記載のルータであって、さらに、
各自が入力側と出力側を有する第７及び第８ルータマトリックスと、
前記第１ルータマトリックスの入力側と前記第７ルータマトリックスの入力側とを接続する第７個別リンクと、
前記第３ルータマトリックスの入力側と前記第７ルータマトリックスの入力側とを接続する第８個別リンクと、
前記第５ルータマトリックスの入力側と前記第７ルータマトリックスの入力側とを接続する第９個別リンクと、
前記第２ルータマトリックスの入力側と前記第８ルータマトリックスの入力側とを接続する第１０個別リンクと、
前記第４ルータマトリックスの入力側と前記第８ルータマトリックスの入力側とを接続する第１１個別リンクと、
前記第６ルータマトリックスの入力側と前記第８ルータマトリックスの入力側とを接続する第１２個別リンクと、
を有することを特徴とするルータ。
【発明の詳細な説明】
【技術分野】
【０００１】
本発明は、配信ルータ（ｂｒｏａｄｃａｓｔ  ｒｏｕｔｅｒ）に関し、より詳細には、完全接続トポロジーにより構成される複数のルーティングエンジンを有する完全重複線形拡張可能な（ｆｕｌｌｙ  ｒｅｄｕｎｄａｎｔ  ｌｉｎｅａｒｌｙ  ｅｘｐａｎｄａｂｌｅ）配信ルータに関する。
【背景技術】
【０００２】
配信ルータは、それからの複数の出力の各々に、それへの複数の入力の何れかからの信号を割り当てることを可能にする。例えば、Ｎ×Ｍ配信ルータは、Ｎ個の入力とＭ個の出力を備え、それらがＮ入力の何れかがＭ出力の各々に適用されることを可能にするルーティングエンジンにより接続されている。しばしば、４Ｎ×４Ｍ配信ルータなどの大規模な配信ルータを構築することが望ましい。より大規模な配信ルータを構築する１つの解法は、より小規模な配信ルータを提案される大規模な配信ルータの一構成ブロックとして利用することであった。しかしながら、この手法は、提案される大規模な配信ルータの指数的増大をもたらしてしまった。例えば、４Ｎ×４Ｍの配信ルータは、１６Ｎ×Ｍの配信ルータを必要とするものであった。この結果、このような手法により構成される大規模な配信ルータは、しばしば高コストで扱いにくいものであった。線形拡張可能な配信ルータは、幾何的拡張の問題を克服するものであった。しかしながら、従来構成された線形拡張可能な配信ルータには、他のタイプの問題点がある。例えば、しばしば、それらは、複数の配信ルータコンポーネントが１つの断線により機能しなくなる破滅的な故障の影響を受けやすい。
【発明の概要】
【発明が解決しようとする課題】
【０００３】
本発明の課題は、上述した問題点に鑑み、完全接続トポロジーにより構成される複数のルーティングエンジンを有する完全重複線形拡張可能な配信ルータを提供することである。
【課題を解決するための手段】
【０００４】
完全重複線形拡張可能なルータは、各自が第１及び第２ルーティングエンジンを有する３以上のルータコンポーネントを有するよう構成される。これら３以上のルータコンポーネントの第１ルーティングエンジンは、第１完全接続トポロジーにより構成され、これにより、各第１ルーティングエンジンの入力側は、その他の第１ルーティングエンジンのそれぞれの入力側への個別リンクを有することになる。同様に、３以上のルータコンポーネントの第２ルーティングエンジンは、第２完全接続トポロジーにより構成され、これにより、各第２ルーティングエンジンの入力側は、その他の第２ルーティングエンジンのそれぞれの入力側への個別リンクを有することになる。このように３以上のルーティングエンジンの入力側を相互接続することにより、第１ルーティングエンジンのすべてが同じＸＮ（ただし、Ｘは当該線形拡張可能なルータの要素を構成するルータコンポーネントの個数であり、Ｎは各ルーティングエンジンへの入力数である）の入力と、それの故障時のバックアップルーティングエンジンとを有する。
【発明の効果】
【０００５】
本発明によると、完全接続トポロジーにより構成される複数のルーティングエンジンを有する完全重複線形拡張可能な配信ルータを提供することができる。
【図面の簡単な説明】
【０００６】
【図１】図１は、本発明の教示により構成された完全重複線形拡張可能な配信ルータのブロック図である。
【図２】図２は、図１の完全重複線形拡張可能な配信ルータの第１配信ルータコンポーネントの拡大されたブロック図である。
【図３】図３は、図１の完全重複線形拡張可能な配信ルータの第２配信ルータコンポーネントの拡大されたブロック図である。
【図４】図４は、図１の完全重複線形拡張可能な配信ルータの第３配信ルータコンポーネントの拡大されたブロック図である。
【図５】図５は、図１の完全重複線形拡張可能な配信ルータの第４配信ルータコンポーネントの拡大されたブロック図である。
【図６】図６は、図２の第１配信ルータコンポーネントの第１拡張ポートの拡大されたブロック図である。
【図７】図７は、図１の完全重複線形拡張可能な配信ルータの第１配信ルータコンポーネントの他の実施例の拡大されたブロック図である。
【図８】図８は、図１の完全重複線形拡張可能な配信ルータの第２配信ルータコンポーネントの他の実施例の拡大されたブロック図である。
【図９】図９は、図１の完全重複線形拡張可能な配信ルータの第３配信ルータコンポーネントの他の実施例の拡大されたブロック図である。
【図１０】図１０は、図１の完全重複線形拡張可能な配信ルータの第４配信ルータコンポーネントの他の実施例の拡大されたブロック図である。
【発明を実施するための形態】
【０００７】
図１を参照するに、本発明の教示により構成される完全重複線形拡張可能な配信ルータ１００が詳細に説明される。図示されるように、完全重複線形拡張可能な配信ルータ１００は、より大規模な完全重複線形拡張可能な配信ルータ１００を構成するよう互いに接続された複数の配信ルータコンポーネントから構成される。各配信ルータコンポーネントは、第１ルータマトリックス（ｒｏｕｔｅｒ  ｍａｔｒｉｘ）と、当該第１ルータマトリックスの複製である第２ルータマトリックスとを含む個別のルータ装置である。従って、各配信ルータは、第１及び第２ルータマトリックスのそれぞれに対する第１及び第２ルーティングエンジンを有し、各ルーティングエンジンは、それの入力側において同一の入力デジタル音声ストリームを受信し、それの出力側において同一の出力デジタル音声ストリームを配置する。ここで開示されるように、当該完全重複線形拡張可能な配信ルータを構築するのに利用される各配信ルータコンポーネントは、Ｎ×Ｍのサイズの配信ルータである。しかしながら、完全重複線形拡張な配信ルータ１００は、互いに異なるサイズを有する配信ルータコンポーネントから構成することもできるということが十分考えられる。
【０００８】
ここでさらに開示されるように、完全重複線形拡張可能な配信ルータ１００は、第１配信ルータコンポーネント１０２、第２配信ルータコンポーネント１０４、第３配信ルータコンポーネント１０６及び第４配信ルータコンポーネント１０８を接続することにより構成される。もちろん、４つの配信ルータコンポーネントから構成される完全重複線形拡張可能な配信ルータ１００の本開示は、純粋に例示的なものである。従って、本発明の教示により構成される完全重複線形拡張可能な配信ルータが、当該線形拡張可能な配信ルータを構成する配信ルータコンポーネントの合計が３以上である限り、他の様々な個数の配信ルータコンポーネントを用いて構成されてもよい。ここで開示されるように完全接続されるとき、完全重複線形拡張可能な配信ルータ１００を構成する第１配信ルータコンポーネント１０２、第２配信ルータコンポーネント１０４、第３配信ルータコンポーネント１０６及び第４配信ルータコンポーネント１０８は、図１に示されるような共通の筺体に一体的に収容されてもよいし、あるいは所望であれば、個別の筺体に収容されてもよい。上述のように、配信ルータコンポーネント１０２、１０４、１０６及び１０８は互いに異なるサイズを有するようにしてもよいが、他の実施例では、すべてが同一のＮ×Ｍのサイズを有するようにしてもよい。ここで想定される利用に対し適していると示されている１つのサイズは２５６×２５６である。さらに、完全重複線形拡張可能な配信ルータ１００に適した構成は、各自が２５６×２５６のサイズの５つの配信ルータコンポーネントを接続するものであり、これにより、１，２８０×１，２８０の配信ルータが得られる。
【０００９】
第１配信ルータコンポーネント１０２は、第１ルータマトリックス１０２ａと、それの故障時に第１ルータマトリックス１０２ａを交換するのに利用される第２（あるいは冗長）ルータマトリックス１０２ｂとから構成される。同様に、完全重複線形拡張可能な配信ルータ１００の第２配信ルータコンポーネント１０４、第３配信ルータコンポーネント１０６及び第４配信ルータコンポーネント１０８の各々は、それぞれ第１ルータマトリックス１０４ａ、１０６ａ及び１０８ａと、それの故障時の当該第１ルータマトリックス１０４ａ、１０６ａ及び１０８ａを交換するのに利用される第２（あるいは冗長）ルータマトリックス１０４ｂ、１０６ｂ及び１０８ｂとから構成される。もちろん、第１ルータマトリックス１０２ａ、１０４ａ、１０６ａ及び１０８ａに対するバックアップとしてそれぞれ第２ルータマトリックス１０２ｂ、１０４ｂ、１０６ｂ及び１０８ｂを指定することは純粋に任意的なものであり、配信ルータコンポーネント内部のルータマトリックスペアの何れかが、他方のルータマトリックスのためのバックアップとして機能してもよいということが十分考えられる。
【００１０】
さらに、図１に示されるように、第１配信ルータコンポーネント１０２の第１ルータマトリックス１０２ａ、第２配信ルータコンポーネント１０４の第１ルータマトリックス１０４ａ、第３配信ルータコンポーネント１０６の第１ルータマトリックス１０６ａ、及び第４配信ルータコンポーネント１０８の第１ルータマトリックス１０８ａは、完全接続トポロジーに従うルータマトリックスの第１構成により接続される。同様に、第１配信ルータコンポーネント１０２の第２ルータマトリックス１０２ｂ、第２配信ルータコンポーネント１０４の第２ルータマトリックス１０４ｂ、第３配信ルータコンポーネント１０６の第２ルータマトリックス１０６ｂ、及び第４配信ルータコンポーネント１０８の第２ルータマトリックス１０８ｂは、完全接続トポロジーに従うルータマトリックスの第２構成により接続される。完全接続トポロジーでは、ルータマトリックス構成の各ルータマトリックスは、当該ルータマトリックス構成の一部を構成するその他すべてのルータマトリックスに個別リンクにより接続される。
【００１１】
従って、第１ルータマトリックス構成に対して、第１双方向リンク１１０、第２双方向リンク１１２及び第３双方向リンク１１４はそれぞれ、第１配信ルータコンポーネント１０２の第１ルータマトリックス１０２ａと、第２配信ルータコンポーネント１０４の第１ルータマトリックス１０４ａ、第３配信ルータコンポーネント１０６の第１ルータマトリックス１０６ａ及び第４配信ルータコンポーネント１０８の第１ルータマトリックス１０８ａとを接続する。さらに、第４双方向リンク１１６及び第５双方向リンク１１８はそれぞれ、第２配信ルータコンポーネント１０４の第１ルータマトリックス１０４ａと、第３配信ルータコンポーネント１０６の第１ルータマトリックス１０６ａ及び第４配信ルータコンポーネント１０８の第１ルータマトリックス１０８ａとを接続する。最後に、第６双方向リンク１２０は、第３配信ルータコンポーネント１０６の第１ルータマトリックス１０６ａと第４配信ルータコンポーネント１０８の第１ルータマトリックス１０８ａとを接続する。双方向リンク１１０〜１２０は、銅線、光ファイバ、あるいはデジタル信号の交換に適すると考えられる他の送信媒体から形成されてもよい。
【００１２】
同様に、第２ルータマトリックス構成に対して、第１双方向リンク１２２、第２双方向リンク１２４及び第３双方向リンク１２６はそれぞれ、第１配信ルータコンポーネント１０２の第２ルータマトリックス１０２ｂと、第２配信ルータコンポーネント１０４の第２ルータマトリックス１０４ｂ、第３配信ルータコンポーネント１０６の第２ルータマトリックス１０６ｂ及び第４配信ルータコンポーネント１０８の第２ルータマトリックス１０８ｂとを接続する。さらに、第４双方向リンク１２８及び第５双方向リンク１３０はそれぞれ、第２配信ルータコンポーネント１０４の第２ルータマトリックス１０４ｂと、第３配信ルータコンポーネント１０６の第２ルータマトリックス１０６ｂ及び第４配信ルータコンポーネント１０８の第２ルータマトリックス１０８ｂとを接続する。最後に、第６双方向リンク１３２は、第３配信ルータコンポーネント１０６の第２ルータマトリックス１０６ｂと第４配信ルータコンポーネント１０８の第２ルータマトリックス１０８ｂとを接続する。再び、双方向リンク１２２〜１３２は、銅線、光ファイバ、あるいはデジタル信号の交換に適すると考えられる他の送信媒体から形成されてもよい。
【００１３】
もちろん、図１に示されるルータマトリックスのペア間は単一の双方向リンクでなく、第１及び第２一方向リンクにより接続されてもよいということが考えられる。そのような他の構成が、図２〜５のそれぞれに示される。
【００１４】
図２〜５を参照するに、完全重複線形拡張可能な配信ルータ１００がより詳細に説明される。図２において、完全重複線形拡張可能な配信ルータ１００の第１配信ルータコンポーネント１０２が示される。図示されるように、第１配信ルータコンポーネントは、入力側１３４と、出力側１３６と、当該入力側１３４及び出力側１３６の間に接続される第１ルータマトリックス１０２ａ及び第２ルータマトリックス１０２ｂとから構成される。入力側１３４は、Ｎ個のセレクタ１３８から１３８−Ｎを有し、各セレクタの出力はＮ個の入力の１つを第１ルータマトリックス１０２ａと第２ルータマトリックス１０２ｂに与えるよう構成されている。ここで開示されるように、セレクタ１３８−１〜１３８−Ｎのそれぞれは、第１入力１４０−１〜１４０−ＮとしてそれぞれＡＥＳ−１１（Ａｕｄｉｏ  Ｅｎｇｉｎｅｅｒｉｎｇ  Ｓｏｃｉｅｔｙ−１１）規格に準拠する入力デジタル音声データストリームと、第２入力１４２−１〜１４２−ＮとしてそれぞれＡＥＳ−１０規格により与えられるＭＡＤＩ（Ｍｕｌｔｉｃｈａｎｎｅｌ  Ｄｉｇｉｔａｌ  Ａｕｄｉｏ  Ｉｎｔｅｒｆａｃｅ）規格に準拠する入力デジタル音声データストリームとを有する２：１セレクタ回路である。これに関して、ＭＡＤＩ入力デジタル音声データストリームは３２までのＡＥＳデジタル音声データストリームを含み、第２入力１４２−１〜１４２−Ｎのそれぞれは抽出回路（図示せず）によりＭＡＤＩ入力デジタル音声データストリームから以前に抽出された単一のＡＥＳデジタル音声データストリームを含むということに注意すべきである。これにより、セレクタ回路１３８−１〜１３８−Ｎのそれぞれの出力は、Ｎ個の入力デジタル音声データストリームの１つを第１配信ルータコンポーネント１０２の第１ルータマトリックス１０２ａと第２ルータマトリックス１０２ｂのそれぞれに与える。セレクタ回路１３８−１〜１３８−Ｎのそれぞれは、さらに、ＡＥＳ−１１入力デジタル音声データストリームとＭＡＤＩ入力デジタル音声データストリームとの間で選択を行うための制御入力（図示せず）を有する。もちろん、ここで開示された入力デジタル音声データストリーム以外の他のタイプの入力データストリームが、配信ルータコンポーネント１０２、１０４、１０６及び１０８による利用に同様に適するということが容易に認識されるべきである。例えば代わりに、配信ルータコンポーネント１０２、１０４、１０６及び１０８は、圧縮映像信号やデータ信号などの他の低帯域幅デジタル信号により利用されてもよいということが考えられる。さらに、小さな変更により、例えば、より高速のハードウェアとして配信ルータコンポーネント１０２、１０４、１０６及び１０８が圧縮されていないデジタル映像信号と共に利用されてもよいということが考えられる。
【００１５】
セレクタ回路１３８−１〜１３８−Ｎのそれぞれから出力される選択された入力デジタル音声データストリームが、第１ルータマトリックス１０２ａのルーティングエンジン１４４、第１拡張ポート１４６、第２拡張ポート１４８及び第３拡張ポート１５０に供給される。さらに、セレクタ回路１３８−１〜１３８−Ｎのそれぞれから出力される選択された入力デジタル音声データストリームが、第２ルータマトリックス１０２ｂのルーティングエンジン１５２、第１拡張ポート１５４、第２拡張ポート１５６及び第３拡張ポート１５８に供給される。第１ルータマトリックス１０２ａのルーティングエンジン１４４の内部には、ルーティングエンジン１４４への入力として受け取る入力デジタル音声データ信号の何れかを、ルーティングエンジン１４４の出力ラインの何れかに割り当てるスイッチング手段が備えられる。ルーティングエンジン１４４は、例えば、命令系列としてソフトウェア的に、論理回路系列としてハードウェア的に、あるいはそれらの組み合わせにより実現されてもよいということが考えられる。広い意味では、第１ルータマトリックス１０２ａの第１拡張ポート１４６、第２拡張ポート１４８及び第３拡張ポート１５０のそれぞれは、（１）第１配信ルータコンポーネントのセレクタ回路１３８−１〜１３８−Ｎから受け取る入力デジタル音声データストリームと、（２）第２配信ルータコンポーネントの第１ルータマトリックスの拡張ポートから受け取る入力デジタル音声データストリームとが、その送信先への転送前にバッファリング可能なメモリサブシステムと、（１）セレクタ回路１３８−１〜１３８−Ｎから受け取る入力デジタル音声データストリームの他の配信ルータコンポーネントの第１ルータマトリックスの拡張ポートへの転送と、（２）その他の配信ルータコンポーネントの第１ルータマトリックスの拡張ポートから受け取る入力デジタル音声データストリームの第１配信ルータコンポーネントの第１ルータマトリックス１０２ａのルーティングエンジン１４４の入力への転送とを制御するプロセッササブシステムとから構成される。同様に、第２ルータマトリックス１０２ｂのルーティングエンジン１５２の内部には、ルーティングエンジン１５２への入力として受け取られる入力デジタル音声データ信号の何れかをルーティングエンジン１５２の出力ラインの何れかに割り当てるスイッチング手段を備える。再び、ルーティングエンジン１５２は、ソフトウェア的、ハードウェア的、あるいはそれらの組み合わせにより実現されてもよいということが考えられる。広い意味では、第２ルータマトリックス１０２ｂの第１拡張ポート１５４、第２拡張ポート１５６及び第３拡張ポート１５８のそれぞれは、（１）第１配信ルータコンポーネント１０２のセレクタ回路１３８−１〜１３８−Ｎから受け取る入力デジタル音声データストリームと、（２）第２配信ルータコンポーネントの第２ルータマトリックスの拡張ポートから受け取る入力デジタル音声データストリームとが、それの最終的な送信先に転送される前にバッファリング可能なメモリサブシステムと、セレクタ回路１３８−１〜１３８−Ｎから受け取る入力デジタル音声データストリームの第２配信ルータコンポーネントの第２ルータマトリックスの拡張ポートへの転送と、（２）第２配信ルータコンポーネントの第２ルータマトリックスの拡張ポートから受け取る入力デジタル音声データストリームの第１配信ルータコンポーネント１０２の第１ルータマトリックス１０２ｂのルーティングエンジン１５２の入力への転送とを制御するプロセッササブシステムとから構成される。
【００１６】
図６を参照するに、第１配信ルータコンポーネント１０２の第１ルータマトリックス１０２ａの拡張ポート１４６がより詳細に説明される。これに関して、ここでは第１拡張ポート１３０のみが説明及び例示されているが、第１配信ルータコンポーネント１０２の第１ルータマトリックス１０２ａの第２拡張ポート１４８及び第３拡張ポート１５０と、第１配信ルータコンポーネント１０２の第２ルータマトリックス１０２ｂの第１拡張ポート１５２、第２拡張ポート１５４及び第３拡張ポート１５６と、第２配信ルータコンポーネント１０４の第１ルータマトリックス１０４ａの第１拡張ポート１８０、第２拡張ポート１８２及び第３拡張ポート１８４と、第２配信ルータコンポーネント１０４の第２ルータマトリックス１０４ｂの第１拡張ポート１８８、第２拡張ポート１９０及び第３拡張ポート１９２と、第３配信ルータコンポーネント１０６の第１ルータマトリックス１０６ａの第１拡張ポート２１４、第２拡張ポート２１６及び第３拡張ポート２１８と、第３配信ルータコンポーネント１０６の第２ルータマトリックス１０６ｂの第１拡張ポート２２２、第２拡張ポート２２４及び第３拡張ポート２２６と、第４配信ルータコンポーネント１０８の第１ルータマトリックス１０８ａの第１拡張ポート２４８、第２拡張ポート２５０及び第３拡張ポート２５２と、第４配信ルータコンポーネント１０８の第２ルータマトリックス１０８ｂの第１拡張ポート２５６、第２拡張ポート２５８及び第３拡張ポート２６０とは同様に構成される。これにより、以下の説明は、上記拡張ポートにも同様に適用可能である。
【００１７】
図６に示されるように、第１配信ルータコンポーネント１０２の第１ルータマトリックス１０２ａの第１拡張ポート１４６は、第１メモリスペース２７０と第２メモリスペース２７２を含む。第１メモリスペース２７０と第２メモリスペース２７２は、個別の第１及び第２記憶装置から構成されてもよいし、あるいは図６に示されるように、共通の記憶装置内部の個別の第１及び第２アドレススペースから構成されてもよい。拡張ポート１４６はさらに、コントローラなどの、拡張ポート１４６により受け取られた入力デジタル音声データストリームのそれの最終的な送信先への転送を制御する制御論理２７４を有する。より詳細には、セレクタ回路１３８−１などの、拡張ポート１４６に接続されたセレクタ回路から出力される入力デジタル音声データストリームが、第１メモリスペース２７０に一時的に格納されるか、あるいはバッファリングされる。その後、コントローラ２７４は、第１メモリスペース２７０の格納されているデジタル音声データを、第２配信ルータコンポーネント１０４の第１ルータマトリックス１０４ａの拡張ポート１８０の第２メモリスペース２７２に転送する。同様に、第２配信ルータコンポーネント１０４の第１ルータマトリックス１０４ａの拡張ポート１８０の第１メモリスペース２７０に格納されているデジタル音声データが、第２メモリスペース２７２に転送される。第２メモリスペースから、コントローラ２７４は、入力として第２配信ルータコンポーネント１０４から受け取ったデジタル音声データを、第１配信ルータコンポーネント１０２の第１ルータマトリックス１０２ａのルーティングエンジン１４４に与える。もちろん、拡張ポート１４６の構成及び動作は、１つの装置とデジタル音声データの転送に適したプロセスであり、バッファリング及び/またはファースト・イン・ファースト・アウト（「ＦＩＦＯ」）スキームに関する他の装置及びプロセスが、ここで開示された目的に等しく適しているということが十分考えられる。
【００１８】
図３において、完全重複線形拡張可能な配信ルータ１００の第２配信ルータコンポーネント１０４が示される。図示されるように、第２配信ルータコンポーネント１０４は、入力側１６８と、出力側１７０と、当該入力側１６８と出力側１７０との間を接続する第１ルータマトリックス１０４ａ及び第２ルータマトリックス１０４ｂとから構成される。入力側１６８は、Ｎ個のセレクタ１７６−１〜１７６−Ｎを有し、各セレクタの出力がＮの入力の１つを第１ルータマトリックス１０４ａ及び第２ルータマトリックス１０４ｂに与えられるよう構成される。ここで開示されるように、セレクタ１７６−１〜１７６−Ｎのそれぞれは、第１入力１７２−１〜１７２−Ｎとして、ＡＥＳ−１１規格に準拠する入力デジタル音声データストリームと、第２入力１７４−１〜１７４−Ｎとして、ＭＡＤＩ規格に準拠する入力デジタル音声データストリームとを有する２：１セレクタ回路である。再び、ＭＡＤＩ入力デジタル音声データストリームは、３２までのＡＥＳデジタル音声データストリームを含んでもよく、第２入力１７４−１〜１７４−Ｎのそれぞれは抽出回路（図示せず）によりＭＡＤＩ入力デジタル音声データストリームから以前に抽出された単一のＡＥＳデジタル音声データストリームを含むということに注意すべきである。これにより、セレクタ回路１７６−1〜１７６−Ｎのそれぞれの出力は、Ｎの入力デジタル音声データストリームの１つを、第２配信ルータコンポーネント１０４の第１ルータマトリックス１０４ａと第２ルータマトリックス１０４ｂのそれぞれに与える。セレクタ回路１７６−１〜１７６−Ｎのそれぞれは、さらに、ＡＥＳ−１１及びＭＡＤＩ入力デジタル音声データストリームの間の選択を行う制御入力（図示せず）を有する。
【００１９】
セレクタ回路１７６−１〜１７６−Ｎのそれぞれから出力された選択された入力デジタル音声データストリームは、第１ルータマトリックス１０４ａのルーティングエンジン１７８、第１拡張ポート１８０、第２拡張ポート１８２及び第３拡張ポート１８４に供給される。さらに、セレクタ回路１７６−１〜１７６−Ｎの１つから出力された選択された入力デジタル音声データストリームは、第２ルータマトリックス１０４ｂのルーティングエンジン１８６、第１拡張ポート１８８、第２拡張ポート１９０及び第３拡張ポート１９２に供給される。第１ルータマトリックス１０４ａのルーティングエンジン１７８の内部には、ルーティングエンジン１７８への入力として受け取る入力デジタル音声データ信号の何れかを、ルーティングエンジン１７８の出力ラインの何れかに割り当てるスイッチング手段が備えられる。ルーティングエンジン１７８は、ソフトウェア的、ハードウェア的、あるいはそれらの組み合わせにより実現されてもよいということが考えられる。広い意味では、第１ルータマトリックス１０４ａの第１拡張ポート１８０、第２拡張ポート１８２及び第３拡張ポート１８４のそれぞれは、（１）第１配信ルータコンポーネントのセレクタ回路１７６−１〜１７６−Ｎから受け取る入力デジタル音声データストリームと、（２）第２配信ルータコンポーネントの第１ルータマトリックスの拡張ポートから受け取る入力デジタル音声データストリームとを、それの最終的な送信先への転送前にバッファリング可能なメモリサブシステムと、（１）セレクタ回路１７６−１〜１７６−Ｎから受け取る入力デジタル音声データストリームの他の配信ルータコンポーネントの第１ルータマトリックスの拡張ポートへの転送と、（２）その他の配信ルータコンポーネントの第１ルータマトリックスの拡張ポートから受け取る入力デジタル音声データストリームの第２配信ルータコンポーネント１０４の第１ルータマトリックス１０４ａのルーティングエンジン１７８の入力への転送とを制御するプロセッササブシステムとから構成される。
【００２０】
同様に、第２ルータマトリックス１０４ｂのルーティングエンジン１８６の内部には、ルーティングエンジン１８６への入力として受け取る入力デジタル音声データ信号の何れかを、ルーティングエンジン１８６の出力ラインの何れかに割り当てるスイッチング手段が備えられる。ルーティングエンジン１８６は、ソフトウェア的、ハードウェア的、あるいはそれらの組み合わせにより実現されてもよいということが考えられる。広い意味では、第２ルータマトリックス１０４ｂの第１拡張ポート１８８、第２拡張ポート１９０及び第３拡張ポート１９２のそれぞれは、（１）第２配信ルータコンポーネント１０４のセレクタ回路１７６−１〜１７６−Ｎから受け取る入力デジタル音声データストリームと、（２）他の配信ルータコンポーネントの第２ルータマトリックスの拡張ポートから受け取る入力デジタル音声データストリームとを、それの最終的な送信先への転送前にバッファリング可能なメモリサブシステムと、（１）セレクタ回路１７６−１〜１７６−Ｎから受け取る入力デジタル音声データストリームのその他の配信ルータコンポーネントの第２ルータマトリックスの拡張ポートへの転送と、（２）その他の配信ルータコンポーネントの第２ルータマトリックスの拡張ポートから受け取る入力デジタル音声データストリームの第２配信ルータコンポーネント１０４の第２ルータマトリックス１０４ｂのルーティングエンジン１８６の入力への転送とを制御するプロセッササブシステムとから構成される。
【００２１】
図４において、完全重複線形拡張可能な配信ルータ１００の第３配信ルータコンポーネント１０６が示される。図示されるように、第３配信ルータコンポーネント１０６は、入力側２０２と、出力側２０４と、当該入力側２０２と出力側２０４との間を接続する第１ルータマトリックス１０６ａ及び第２ルータマトリックス１０６ｂとから構成される。入力側２０２は、Ｎ個のセレクタ２１０−１〜２１０−Ｎを有し、各セレクタの出力がＮの入力の１つを第１ルータマトリックス１０６ａ及び第２ルータマトリックス１０６ｂに与えられるよう構成される。ここで開示されるように、セレクタ２１０−１〜２１０−Ｎのそれぞれは、第１入力２０６−１〜２０６−Ｎとして、ＡＥＳ−１１規格に準拠する入力デジタル音声データストリームと、第２入力２０８−１〜２０８−Ｎとして、ＭＡＤＩ規格に準拠する入力デジタル音声データストリームとを有する２：１セレクタ回路である。これに関して、再び、ＭＡＤＩ入力デジタル音声データストリームは、３２までのＡＥＳデジタル音声データストリームを含んでもよく、第２入力２０８−１〜２０８−Ｎのそれぞれは抽出回路（図示せず）によりＭＡＤＩ入力デジタル音声データストリームから以前に抽出された単一のＡＥＳデジタル音声データストリームを含むということに注意すべきである。これにより、セレクタ回路２１０−1〜２１０−Ｎのそれぞれの出力は、Ｎの入力デジタル音声データストリームの１つを、第３配信ルータコンポーネント１０６の第１ルータマトリックス１０６ａと第２ルータマトリックス１０６ｂのそれぞれに与える。セレクタ回路２１０−１〜２１０−Ｎのそれぞれは、さらに、ＡＥＳ−１１及びＭＡＤＩ入力デジタル音声データストリームの間の選択を行う制御入力（図示せず）を有する。
【００２２】
セレクタ回路２１０−１〜２１０−Ｎのそれぞれから出力された選択された入力デジタル音声データストリームは、第１ルータマトリックス１０６ａのルーティングエンジン２１２、第１拡張ポート２１４、第２拡張ポート２１６及び第３拡張ポート２１８に供給される。さらに、セレクタ回路２１０−１〜２１０−Ｎの１つから出力された選択された入力デジタル音声データストリームは、第２ルータマトリックス１０６ｂのルーティングエンジン２２０、第１拡張ポート２２２、第２拡張ポート２２４及び第３拡張ポート２２６に供給される。第１ルータマトリックス１０６ａのルーティングエンジン２１２の内部には、ルーティングエンジン２１２への入力として受け取る入力デジタル音声データ信号の何れかを、ルーティングエンジン２１２の出力ラインの何れかに割り当てるスイッチング手段が備えられる。ルーティングエンジン２１２は、ソフトウェア的、ハードウェア的、あるいはそれらの組み合わせにより実現されてもよいということが考えられる。広い意味では、第１ルータマトリックス１０６ａの第１拡張ポート２１４、第２拡張ポート２１６及び第３拡張ポート２１８のそれぞれは、（１）第３配信ルータコンポーネントのセレクタ回路２１０−１〜２１０−Ｎから受け取る入力デジタル音声データストリームと、（２）他の配信ルータコンポーネントの第１ルータマトリックスの拡張ポートから受け取る入力デジタル音声データストリームとを、それの最終的な送信先への転送前にバッファリング可能なメモリサブシステムと、（１）セレクタ回路２１０−１〜２１０−Ｎから受け取る入力デジタル音声データストリームのその他の配信ルータコンポーネントの第１ルータマトリックスの拡張ポートへの転送と、（２）その他の配信ルータコンポーネントの第１ルータマトリックスの拡張ポートから受け取る入力デジタル音声データストリームの第３配信ルータコンポーネント１０６の第１ルータマトリックス１０６ａのルーティングエンジン２１２の入力への転送とを制御するプロセッササブシステムとから構成される。同様に、第２ルータマトリックス１０６ｂのルーティングエンジン２２０の内部には、ルーティングエンジン２２０への入力として受け取る入力デジタル音声データ信号の何れかを、ルーティングエンジン２２０の出力ラインの何れかに割り当てるスイッチング手段が備えられる。ルーティングエンジン２２０は、ソフトウェア的、ハードウェア的、あるいはそれらの組み合わせにより実現されてもよいということが考えられる。広い意味では、第２ルータマトリックス１０６ｂの第１拡張ポート２２２、第２拡張ポート２２４及び第３拡張ポート２２６のそれぞれは、（１）第３配信ルータコンポーネント１０６のセレクタ回路２１０−１〜２１０−Ｎから受け取る入力デジタル音声データストリームと、（２）その他の配信ルータコンポーネントの第２ルータマトリックスの拡張ポートから受け取る入力デジタル音声データストリームとを、それの最終的な送信先への転送前にバッファリング可能なメモリサブシステムと、（１）セレクタ回路２１０−１〜２１０−Ｎから受け取る入力デジタル音声データストリームのその他の配信ルータコンポーネントの第２ルータマトリックスの拡張ポートへの転送と、（２）その他の配信ルータコンポーネントの第２ルータマトリックスの拡張ポートから受け取る入力デジタル音声データストリームの第３配信ルータコンポーネント１０６の第２ルータマトリックス１０６ｂのルーティングエンジン２２０の入力への転送とを制御するプロセッササブシステムとから構成される。
【００２３】
図５において、完全重複線形拡張可能な配信ルータ１００の第４配信ルータコンポーネント１０８が示される。図示されるように、第４配信ルータコンポーネント１０８は、入力側２３６と、出力側２３８と、当該入力側２３６と出力側２３８との間を接続する第１ルータマトリックス１０８ａ及び第２ルータマトリックス１０８ｂとから構成される。入力側２３６は、Ｎ個のセレクタ２４４−１〜２４４−Ｎを有し、各セレクタの出力がＮの入力の１つを第１ルータマトリックス１０８ａ及び第２ルータマトリックス１０８ｂに与えられるよう構成される。ここで開示されるように、セレクタ２４４−１〜２４４−Ｎのそれぞれは、第１入力２４０−１〜２４０−Ｎとして、ＡＥＳ−１１規格に準拠する入力デジタル音声データストリームと、第２入力２４２−１〜２４２−Ｎとして、ＭＡＤＩ規格に準拠する入力デジタル音声データストリームとを有する２：１セレクタ回路である。これにより、セレクタ回路２４４−1〜２４４−Ｎのそれぞれの出力は、Ｎの入力デジタル音声データストリームの１つを、第４配信ルータコンポーネント１０８の第１ルータマトリックス１０８ａと第２ルータマトリックス１０８ｂのそれぞれに与える。セレクタ回路２４４−１〜２４４−Ｎのそれぞれは、さらに、ＡＥＳ−１１及びＭＡＤＩ入力デジタル音声データストリームの間の選択を行う制御入力（図示せず）を有する。
【００２４】
セレクタ回路２４４−１〜２４４−Ｎのそれぞれから出力された選択された入力デジタル音声データストリームは、第１ルータマトリックス１０８ａのルーティングエンジン２４６、第１拡張ポート２４８、第２拡張ポート２５０及び第３拡張ポート２５２に供給される。さらに、セレクタ回路２４４−１〜２４４−Ｎの１つから出力された選択された入力デジタル音声データストリームは、第２ルータマトリックス１０８ｂのルーティングエンジン２５４、第１拡張ポート２５６、第２拡張ポート２５８及び第３拡張ポート２６０に供給される。第１ルータマトリックス１０８ａのルーティングエンジン２４６の内部には、ルーティングエンジン２４６への入力として受け取る入力デジタル音声データ信号の何れかを、ルーティングエンジン２４６の出力ラインの何れかに割り当てるスイッチング手段が備えられる。ルーティングエンジン２４６は、ソフトウェア的、ハードウェア的、あるいはそれらの組み合わせにより実現されてもよいということが考えられる。広い意味では、第１ルータマトリックス１０８ａの第１拡張ポート２４８、第２拡張ポート２５０及び第３拡張ポート２５２のそれぞれは、（１）第４配信ルータコンポーネントのセレクタ回路２４４−１〜２４４−Ｎから受け取る入力デジタル音声データストリームと、（２）他の配信ルータコンポーネントの第１ルータマトリックスの拡張ポートから受け取る入力デジタル音声データストリームとを、それの最終的な送信先への転送前にバッファリング可能なメモリサブシステムと、（１）セレクタ回路２４４−１〜２４４−Ｎから受け取る入力デジタル音声データストリームのその他の配信ルータコンポーネントの第１ルータマトリックスの拡張ポートへの転送と、（２）その他の配信ルータコンポーネントの第１ルータマトリックスの拡張ポートから受け取る入力デジタル音声データストリームの第４配信ルータコンポーネント１０８の第１ルータマトリックス１０８ａのルーティングエンジン２４６の入力への転送とを制御するプロセッササブシステムとから構成される。同様に、第２ルータマトリックス１０８ｂのルーティングエンジン２５４の内部には、ルーティングエンジン２５４への入力として受け取る入力デジタル音声データ信号の何れかを、ルーティングエンジン２５４の出力ラインの何れかに割り当てるスイッチング手段が備えられる。ルーティングエンジン２５４は、ソフトウェア的、ハードウェア的、あるいはそれらの組み合わせにより実現されてもよいということが考えられる。広い意味では、第２ルータマトリックス１０８ｂの第１拡張ポート２５６、第２拡張ポート２５８及び第３拡張ポート２６０のそれぞれは、（１）第４配信ルータコンポーネント１０８のセレクタ回路２４４−１〜２４４−Ｎから受け取る入力デジタル音声データストリームと、（２）その他の配信ルータコンポーネントの第２ルータマトリックスの拡張ポートから受け取る入力デジタル音声データストリームとを、それの最終的な送信先への転送前にバッファリング可能なメモリサブシステムと、（１）セレクタ回路２４４−１〜２４４−Ｎから受け取る入力デジタル音声データストリームのその他の配信ルータコンポーネントの第２ルータマトリックスの拡張ポートへの転送と、（２）その他の配信ルータコンポーネントの第２ルータマトリックスの拡張ポートから受け取る入力デジタル音声データストリームの第４配信ルータコンポーネント１０８の第２ルータマトリックス１０８ｂのルーティングエンジン２５４の入力への転送とを制御するプロセッササブシステムとから構成される。
【００２５】
次に、図２〜５を参照するに、個別の入力デジタル音声データストリームがセレクタ回路１３８−１〜１３８−Ｎのそれぞれから出力されると、第１配信ルータコンポーネント１０２の第１ルータマトリックス１０２ａのルーティングエンジン１４４の入力側、第１拡張ポート１４６、第２拡張ポート１４８及び第３拡張ポート１５０のそれぞれに与えられる入力デジタル音声データストリームは、音声データ入力ストリーム１〜Ｎとなる。同様に、第２配信ルータコンポーネント１０４の第１ルータマトリックス１０４ａのルーティングエンジン１７８の入力側、第１拡張ポート１８０、第２拡張ポート１８２及び第３拡張ポート１８４のそれぞれに与えられる入力デジタル音声データストリームは、音声データ入力ストリームＮ＋１〜２Ｎとなり、第３配信ルータコンポーネント１０６の第１ルータマトリックス１０６ａのルーティングエンジン２１２の入力側、第１拡張ポート２１４、第２拡張ポート２１６及び第３拡張ポート２１８のそれぞれに与えられる入力デジタル音声データストリームは、音声データ入力ストリーム２Ｎ＋１〜３Ｎとなり、第４配信ルータコンポーネント１０８の第１ルータマトリックス１０８ａのルーティングエンジン２４６の入力側、第１拡張ポート２４８、第２拡張ポート２５０及び第３拡張ポート２５２のそれぞれに与えられる入力デジタル音声データストリームは、音声データ入力ストリーム３Ｎ＋１〜４Ｎとなる。
【００２６】
４Ｎ×４Ｍの配信ルータとして機能するため、第１配信ルータコンポーネント１０２の第１ルータマトリックス１０２ａのルーティングエンジン１４４、第２配信ルータコンポーネント１０４の第１ルータマトリックス１０４ａのルーティングエンジン１７８、第３配信ルータコンポーネント１０６の第１ルータマトリックス１０６ａのルーティングエンジン２１２、及び第４配信ルータコンポーネント１０８の第１ルータマトリックス１０８ａのルーティングエンジン２４６は、その入力側への入力として与えられる入力デジタル音声データストリーム１〜４Ｎのすべてを有する必要がある。第１配信ルータコンポーネント１０２の第１ルータマトリックス１０２ａのルーティングエンジン１４４に対して、入力デジタル音声データストリーム１〜Ｎが、ルーティングエンジン１４４の入力側に直接与えられる。他方、第１拡張ポート１４６、第２拡張ポート１４８及び第３拡張ポート１５０に入力される入力デジタル音声データストリーム１〜Ｎは、リンク１１０を介して第２配信ルータコンポーネント１０４の第１ルータマトリックス１０４ａの第１拡張ポート１８０に、リンク１１２を介して第３配信ルータコンポーネント１０６の第１ルータマトリックス１０６ａの第２拡張ポート２１６に、及びリンク１１４を介して第４配信ルータコンポーネント１０８の第１ルータマトリックス１０８ａの第３拡張ポート２５２に転送される。第２配信ルータコンポーネント１０４の第１ルータマトリックス１０４ａの第１拡張ポート１８０と、第３配信ルータコンポーネント１０６の第１ルータマトリックス１０６ａの第２拡張ポート２１６と、第４配信ルータコンポーネント１０８の第１ルータマトリックス１０８ａの第３拡張ポート２５２とから、入力デジタル音声データストリーム１〜Ｎが、第２配信ルータコンポーネント１０４の第１ルータマトリックス１０４ａのルーティングエンジン１７８と、第３配信ルータコンポーネント１０６の第１ルータマトリックス１０６ａのルーティングエンジン２１２と、第４配信ルータコンポーネント１０８の第１ルータマトリックス１０８ａのルーティングエンジン２４６とに入力される。
【００２７】
同様に、第２配信ルータコンポーネント１０４の第１ルータマトリックス１０４ａに対して、入力デジタル音声データストリームＮ＋１〜２Ｎが、ルーティングエンジン１７８の入力側に直接与えられる。他方、第１拡張ポート１８０、第２拡張ポート１８２及び第３拡張ポート１８４に入力される入力デジタル音声データストリームＮ＋１〜２Ｎは、リンク１１０を介して第１配信ルータコンポーネント１０２の第１ルータマトリックス１０２ａの第１拡張ポート１３０に、リンク１１６を介して第３配信ルータコンポーネント１０６の第１ルータマトリックス１０６ａの第１拡張ポート２１４に、及びリンク１１８を介して第４配信ルータコンポーネント１０８の第１ルータマトリックス１０８ａの第２拡張ポート２５０に転送される。第１配信ルータコンポーネント１０２の第１ルータマトリックス１０２ａの第１拡張ポート１８０と、第３配信ルータコンポーネント１０６の第１ルータマトリックス１０６ａの第１拡張ポート２１４と、第４配信ルータコンポーネント１０８の第１ルータマトリックス１０８ａの第２拡張ポート２５０とから、入力デジタル音声データストリームＮ＋１〜２Ｎが、第１配信ルータコンポーネント１０２の第１ルータマトリックス１０２ａのルーティングエンジン１４４と、第３配信ルータコンポーネント１０６の第１ルータマトリックス１０６ａのルーティングエンジン２１２と、第４配信ルータコンポーネント１０８の第１ルータマトリックス１０８ａのルーティングエンジン２４６とに入力される。
【００２８】
第３配信ルータコンポーネント１０６の第１ルータマトリックス１０６ａに対して、入力デジタル音声データストリーム２Ｎ＋１〜３Ｎが、ルーティングエンジン２１２の入力側に直接与えられる。他方、第１拡張ポート２１４、第２拡張ポート２１６及び第３拡張ポート２１８に入力される入力デジタル音声データストリーム２Ｎ＋１〜３Ｎは、リンク１１６を介して第２配信ルータコンポーネント１０４の第１ルータマトリックス１０４ａの第２拡張ポート１８２に、リンク１１２を介して第１配信ルータコンポーネント１０２の第１ルータマトリックス１０２ａの第２拡張ポート１４８に、及びリンク１２０を介して第４配信ルータコンポーネント１０８の第１ルータマトリックス１０８ａの第１拡張ポート２４８に転送される。第２配信ルータコンポーネント１０４の第１ルータマトリックス１０４ａの第２拡張ポート１８２と、第１配信ルータコンポーネント１０２の第１ルータマトリックス１０２ａの第２拡張ポート１４８と、第４配信ルータコンポーネント１０８の第１ルータマトリックス１０８ａの第１拡張ポート２４８とから、入力デジタル音声データストリーム２Ｎ＋１〜３Ｎが、第１配信ルータコンポーネント１０２の第１ルータマトリックス１０２ａのルーティングエンジン１４４と、第２配信ルータコンポーネント１０４の第１ルータマトリックス１０４ａのルーティングエンジン１７８と、第４配信ルータコンポーネント１０８の第１ルータマトリックス１０８ａのルーティングエンジン２４６とに入力される。
【００２９】
最後に、第４配信ルータコンポーネント１０８の第１ルータマトリックス１０８ａに対して、入力デジタル音声データストリーム３Ｎ＋１〜４Ｎが、ルーティングエンジン２４６の入力側に直接与えられる。他方、第１拡張ポート２４８、第２拡張ポート２５０及び第３拡張ポート２５２に入力される入力デジタル音声データストリーム３Ｎ＋１〜４Ｎは、リンク１２０を介して第３配信ルータコンポーネント１０６の第１ルータマトリックス１０６ａの第３拡張ポート２１８に、リンク１１８を介して第２配信ルータコンポーネント１０４の第１ルータマトリックス１０４ａの第３拡張ポート１８４に、及びリンク１１４を介して第１配信ルータコンポーネント１０２の第１ルータマトリックス１０２ａの第３拡張ポート１５０に転送される。第１配信ルータコンポーネント１０２の第１ルータマトリックス１０２ａの第３拡張ポート１５０と、第２配信ルータコンポーネント１０４の第１ルータマトリックス１０４ａの第３拡張ポート１８４と、第３配信ルータコンポーネント１０６の第１ルータマトリックス１０６ａの第３拡張ポート２１８とから、入力デジタル音声データストリーム３Ｎ＋１〜４Ｎが、第１配信ルータコンポーネント１０２の第１ルータマトリックス１０２ａのルーティングエンジン１４４と、第２配信ルータコンポーネント１０４の第１ルータマトリックス１０４ａのルーティングエンジン１７８と、第３配信ルータコンポーネント１０６の第１ルータマトリックス１０６ａのルーティングエンジン２１２とに入力される。このようにして、第１配信ルータコンポーネント１０２の第１ルータマトリックス１０２ａのルーティングエンジン１４４と、第２配信ルータコンポーネント１０４の第１ルータマトリックス１０４ａのルーティングエンジン１７８と、第３配信ルータコンポーネント１０６の第１ルータマトリックス１０６ａのルーティングエンジン２１２と、第４配信ルータコンポーネント１０８の第１ルータマトリックス１０８ａのルーティングエンジン２４６のすべてが、それへの入力として、入力デジタル音声データストリーム１〜４Ｎを受信する。
【００３０】
第１配信ルータコンポーネント１０２の第１ルータマトリックス１０２ａのルーティングエンジン１４４の内部において、スイッチ論理あるいは他のスイッチング手段により、入力デジタル音声データストリーム１〜４Ｎの何れかをその出力１〜Ｍの何れかに印加することを可能にする。同様に、第２配信ルータコンポーネント１０４の第１ルータマトリックス１０４ａのルーティングエンジン１７８、第３配信ルータコンポーネント１０６の第１ルータマトリックス１０６ａのルーティングエンジン２１２及び第４配信ルータコンポーネント１０８の第１ルータマトリックス１０８ａのルーティングエンジン２４６の内部のスイッチ論理あるいは他のスイッチング手段により、入力デジタル音声データストリーム１〜４Ｎの何れかを、それらの出力Ｍ＋１〜２Ｍ、２Ｍ＋１〜３Ｍ及び３Ｍ＋１〜４Ｍの何れかに印加することを可能にする。ルーティングエンジン１４４、１７８、２１２及び２４６のそれぞれの内部のスイッチ論理あるいは他のスイッチング手段は、線形拡張可能な配信ルータ１００のコントローラ（図示せず）あるいは他の制御回路からの１以上の制御入力により制御される。
【００３１】
前述のように、第２ルータマトリックス１０２ｂ、１０４ｂ、１０６ｂ及び１０８ｂは、各自の第１ルータマトリックス１０２ａ、１０４ａ、１０６ａ及び１０８ａの故障時に利用可能な重複したルータマトリックスである。重複マトリックスとして機能するため、第２ルータマトリックス１０２ｂ、１０４ｂ、１０６ｂ及び１０８ｂは、第１ルータマトリックス１０２ａ、１０４ａ、１０６ａ及び１０８ａの対応するものと同じ入出力デジタル音声データストリームを送受信しなければならない。従って、セレクタ回路１３８−１〜１３８−Ｎはまた、入力デジタル音声データストリーム１〜Ｎを、第１配信ルータコンポーネント１０２の第２ルータマトリックス１０２ｂのルーティングエンジン１５２、第１拡張ポート１５４、第２拡張ポート１５６及び第３拡張ポート１５８のそれぞれに供給する。同様に、セレクタ回路１７６−１〜１７６−Ｎはまた、入力デジタル音声データストリームＮ＋１〜２Ｎを、第２配信ルータコンポーネント１０４の第２ルータマトリックス１０４ｂのルーティングエンジン１８６、第１拡張ポート１８８、第２拡張ポート１９０及び第３拡張ポート１９２のそれぞれに供給し、セレクタ回路２１０−１〜２１０−Ｎはまた、入力デジタル音声データストリーム２Ｎ＋１〜３Ｎを、第３配信ルータコンポーネント１０６の第２ルータマトリックス１０６ｂのルーティングエンジン２２０、第１拡張ポート２２２、第２拡張ポート２２４及び第３拡張ポート２２６のそれぞれに供給し、セレクタ回路２４４−１〜２４４−Ｎはまた、入力デジタル音声データストリーム３Ｎ＋１〜４Ｎを、第４配信ルータコンポーネント１０８の第２ルータマトリックス１０８ｂのルーティングエンジン２５４、第１拡張ポート２５６、第２拡張ポート２５８及び第３拡張ポート２６０のそれぞれに供給する。
【００３２】
第１配信ルータコンポーネント１０２の第２ルータマトリックス１０２ｂのルーティングエンジン１５２、第２配信ルータコンポーネント１０４の第２ルータマトリックス１０４ｂのルーティングエンジン１８６、第３配信ルータコンポーネント１０６の第２ルータマトリックス１０６ｂのルーティングエンジン２２０、及び第４配信ルータコンポーネント１０８の第２ルータマトリックス１０８ｂのルーティングエンジン２５４は、それらへの入力として与えられる入力デジタル音声データストリーム１〜４Ｎのすべてを有する必要がある。第１配信ルータコンポーネント１０２の第２ルータマトリックス１０２ｂのルーティングエンジン１５２に対して、セレクタ回路１３８−１〜１３８−Ｎが、それへの入力として入力デジタル音声データストリーム１〜Ｎを与える。他方、第１拡張ポート１５４、第２拡張ポート１５６及び第３拡張ポート１５８に入力される入力デジタル音声データストリーム１〜Ｎは、リンク１２２を介して第２配信ルータコンポーネント１０４の第２ルータマトリックス１０４ｂの第１拡張ポート１８８に、リンク１２４を介して第３配信ルータコンポーネント１０６の第２ルータマトリックス１０６ｂの第２拡張ポート２２４に、リンク１２６を介して第４配信ルータコンポーネント１０８の第２ルータマトリックス１０８ｂの第３拡張ポート２６０に転送される。第２配信ルータコンポーネント１０４の第２ルータマトリックス１０４ｂの第１拡張ポート１８８と、第３配信ルータコンポーネント１０６の第２ルータマトリックス１０６ｂの第２拡張ポート２２４と、第４配信ルータコンポーネント１０８の第２ルータマトリックス１０８ｂの第３拡張ポート２６０とから、入力デジタル音声データストリーム１〜Ｎが、第２配信ルータコンポーネント１０４の第２ルータマトリックス１０４ｂのルーティングエンジン１８６、第３配信ルータコンポーネント１０６の第２ルータマトリックス１０６ｂのルーティングエンジン２２０、及び第４配信ルータコンポーネント１０８の第２ルータマトリックス１０８ｂのルーティングエンジン２５４にそれぞれ入力される。
【００３３】
同様に、第２配信ルータコンポーネント１０４の第２ルータマトリックス１０４ｂに対して、入力デジタル音声データストリームＮ＋１〜２Ｎが、ルーティングエンジン１８６の入力側に直接与えられる。他方、第１拡張ポート１８８、第２拡張ポート１９０及び第３拡張ポート１９２に入力される入力デジタル音声データストリームＮ＋１〜２Ｎは、リンク１２２を介して第１配信ルータコンポーネント１０２の第２ルータマトリックス１０２ｂの第１拡張ポート１５４に、リンク１２８を介して第３配信ルータコンポーネント１０６の第２ルータマトリックス１０６ｂの第１拡張ポート２２２に、及びリンク１３０を介して第４配信ルータコンポーネント１０８の第２ルータマトリックス１０８ｂの第２拡張ポート２５８に転送される。第１配信ルータコンポーネント１０２の第２ルータマトリックス１０２ｂの第１拡張ポート１５４と、第３配信ルータコンポーネント１０６の第２ルータマトリックス１０６ｂの第１拡張ポート２２２と、第４配信ルータコンポーネント１０８の第２ルータマトリックス１０８ｂの第２拡張ポート２５８とから、入力デジタル音声データストリームＮ＋１〜２Ｎが、第１配信ルータコンポーネント１０２の第２ルータマトリックス１０２ｂのルーティングエンジン１５２と、第３配信ルータコンポーネント１０６の第２ルータマトリックス１０６ｂのルーティングエンジン２２０と、第４配信ルータコンポーネント１０８の第２ルータマトリックス１０８ｂのルーティングエンジン２５４とに入力される。
【００３４】
第３配信ルータコンポーネント１０６の第２ルータマトリックス１０６ｂに対して、入力デジタル音声データストリーム２Ｎ＋１〜３Ｎが、ルーティングエンジン２２０の入力側に直接与えられる。他方、第１拡張ポート２２２、第２拡張ポート２２４及び第３拡張ポート２２６に入力される入力デジタル音声データストリーム２Ｎ＋１〜３Ｎは、リンク１２８を介して第２配信ルータコンポーネント１０４の第２ルータマトリックス１０４ｂの第２拡張ポート１９０に、リンク１２６を介して第１配信ルータコンポーネント１０２の第２ルータマトリックス１０２ｂの第２拡張ポート１５６に、及びリンク１３２を介して第４配信ルータコンポーネント１０８の第２ルータマトリックス１０８ｂの第１拡張ポート２５６に転送される。第２配信ルータコンポーネント１０４の第２ルータマトリックス１０４ｂの第２拡張ポート１９０と、第１配信ルータコンポーネント１０２の第２ルータマトリックス１０２ｂの第２拡張ポート１５６と、第４配信ルータコンポーネント１０８の第２ルータマトリックス１０８ｂの第１拡張ポート２５６とから、入力デジタル音声データストリーム２Ｎ＋１〜３Ｎが、第１配信ルータコンポーネント１０２の第２ルータマトリックス１０２ｂのルーティングエンジン１５２と、第２配信ルータコンポーネント１０４の第２ルータマトリックス１０４ｂのルーティングエンジン１８６と、第４配信ルータコンポーネント１０８の第２ルータマトリックス１０８ｂのルーティングエンジン２５４とに入力される。
【００３５】
最後に、第４配信ルータコンポーネント１０８の第２ルータマトリックス１０８ｂに対して、入力デジタル音声データストリーム３Ｎ＋１〜４Ｎが、ルーティングエンジン２４６の入力側に直接与えられる。他方、第１拡張ポート２５６、第２拡張ポート２５８及び第３拡張ポート２６０に入力される入力デジタル音声データストリーム３Ｎ＋１〜４Ｎは、リンク１３２を介して第３配信ルータコンポーネント１０６の第２ルータマトリックス１０６ｂの第３拡張ポート２２６に、リンク１３０を介して第２配信ルータコンポーネント１０４の第２ルータマトリックス１０４ｂの第３拡張ポート１９２に、及びリンク１２６を介して第１配信ルータコンポーネント１０２の第２ルータマトリックス１０２ｂの第３拡張ポート１５６に転送される。第１配信ルータコンポーネント１０２の第２ルータマトリックス１０２ｂの第３拡張ポート１５６と、第２配信ルータコンポーネント１０４の第２ルータマトリックス１０４ｂの第３拡張ポート１９２と、第３配信ルータコンポーネント１０６の第２ルータマトリックス１０６ｂの第３拡張ポート２２６とから、入力デジタル音声データストリーム３Ｎ＋１〜４Ｎが、第１配信ルータコンポーネント１０２の第２ルータマトリックス１０２ｂのルーティングエンジン１５２と、第２配信ルータコンポーネント１０４の第２ルータマトリックス１０４ｂのルーティングエンジン１８６と、第３配信ルータコンポーネント１０６の第２ルータマトリックス１０６ｂのルーティングエンジン２２０とに入力される。このようにして、第１配信ルータコンポーネント１０２の第２ルータマトリックス１０２ｂのルーティングエンジン１５２と、第２配信ルータコンポーネント１０４の第２ルータマトリックス１０４ｂのルーティングエンジン１８６と、第３配信ルータコンポーネント１０６の第２ルータマトリックス１０６ｂのルーティングエンジン２２０と、第４配信ルータコンポーネント１０８の第２ルータマトリックス１０８ｂのルーティングエンジン２５４のすべてが、それへの入力として、入力デジタル音声データストリーム１〜４Ｎを受信する。
【００３６】
第１配信ルータコンポーネント１０２の第２ルータマトリックス１０２ｂのルーティングエンジン１５２の内部において、スイッチ論理あるいは他のスイッチング手段により、入力デジタル音声データストリーム１〜４Ｎの何れかをその出力１〜Ｍの何れかに印加することを可能にする。同様に、第２配信ルータコンポーネント１０４の第２ルータマトリックス１０４ｂのルーティングエンジン１８６、第３配信ルータコンポーネント１０６の第２ルータマトリックス１０６ｂのルーティングエンジン２２０及び第４配信ルータコンポーネント１０８の第２ルータマトリックス１０８ｂのルーティングエンジン２５４の内部のスイッチ論理あるいは他のスイッチング手段により、入力デジタル音声データストリーム１〜４Ｎの何れかを、それらの出力Ｍ＋１〜２Ｍ、２Ｍ＋１〜３Ｍ及び３Ｍ＋１〜４Ｍの何れかに印加することを可能にする。ルーティングエンジン１５２、１８６、２２０及び２５４のそれぞれの内部のスイッチ論理あるいは他のスイッチング手段は、線形拡張可能な配信ルータ１００のコントローラ（図示せず）あるいは他の制御回路からの１以上の制御入力により制御される。
【００３７】
第１配信ルータコンポーネント１０２の第１ルータマトリックス１０２ａと第２ルータマトリックス１０２ｂそれぞれのルーティングエンジン１４４及び１５２から出力される１〜Ｍのデジタル音声データストリームのそれぞれは、第１セレクタ回路１６０−１〜１６０−Ｍの対応するものに伝搬される。第１セレクタ回路１６０−１〜１６０−Ｍにより、第１ルータマトリックス１０２ａのルーティングエンジン１４４から出力される１〜Ｍのデジタル音声データストリーム、あるいは第２ルータマトリックス１０２ｂのルーティングエンジン１５２から出力される１〜Ｍのデジタル音声データストリームが、第１配信ルータコンポーネント１０２の出力であるか決定する。第１セレクタ回路１６０−１〜１６０−Ｍのそれぞれは、ルーティングエンジン１４４から出力されるデジタル音声データストリームあるいはルーティングエンジン１５２から出力されるデジタル音声データストリームが、第１セレクタ回路１６０−１〜１６０−Ｍによりわたされるか選択するための共通の制御入力（図示せず）を共有する。
【００３８】
同様に、第２配信ルータコンポーネント１０４の第１ルータマトリックス１０４ａと第２ルータマトリックス１０４ｂそれぞれのルーティングエンジン１７８及び１８６から出力されるＭ＋１〜２Ｍのデジタル音声データストリームのそれぞれは、第１セレクタ回路２２８−１〜２２８−Ｍの対応するものに伝搬される。第１セレクタ回路２２８−１〜２２８−Ｍにより、第１ルータマトリックス１０４ａのルーティングエンジン１７８から出力される１〜Ｍのデジタル音声データストリーム、あるいは第２ルータマトリックス１０４ｂのルーティングエンジン１８６から出力される１〜Ｍのデジタル音声データストリームが、第２配信ルータコンポーネント１０４の出力であるか決定する。第１セレクタ回路２２８−１〜２２８−Ｍのそれぞれは、ルーティングエンジン１７８から出力されるデジタル音声データストリームあるいはルーティングエンジン１８６から出力されるデジタル音声データストリームが、第１セレクタ回路２２８−１〜２２８−Ｍによりわたされるか選択するための共通の制御入力（図示せず）を共有する。
【００３９】
さらに同様に、第３配信ルータコンポーネント１０６の第１ルータマトリックス１０６ａと第２ルータマトリックス１０６ｂそれぞれのルーティングエンジン２１２及び２２０から出力される２Ｍ＋１〜３Ｍのデジタル音声データストリームのそれぞれは、第１セレクタ回路１６０−１〜１６０−Ｍの対応するものに伝搬される。第１セレクタ回路２２８−１〜２２８−Ｍにより、第１ルータマトリックス１０６ａのルーティングエンジン２１２から出力される２Ｍ＋１〜３Ｍのデジタル音声データストリーム、あるいは第２ルータマトリックス１０６ｂのルーティングエンジン２２０から出力される２Ｍ＋１〜３Ｍのデジタル音声データストリームが、第３配信ルータコンポーネント１０６の出力であるか決定する。第１セレクタ回路２２８−１〜２２８−Ｍのそれぞれは、ルーティングエンジン２１２から出力されるデジタル音声データストリームあるいはルーティングエンジン２２０から出力されるデジタル音声データストリームが、第１セレクタ回路２２８−１〜２２８−Ｍによりわたされるか選択するための共通の制御入力（図示せず）を共有する。
【００４０】
最後に、第４配信ルータコンポーネント１０８の第１ルータマトリックス１０８ａと第２ルータマトリックス１０８ｂそれぞれのルーティングエンジン２４６及び２５４から出力される３Ｍ＋１〜４Ｍのデジタル音声データストリームのそれぞれは、第１セレクタ回路２６２−１〜２６２−Ｍの対応するものに伝搬される。第１セレクタ回路２６２−１〜２６２−Ｍにより、第１ルータマトリックス１０８ａのルーティングエンジン２４６から出力される３Ｍ＋１〜４Ｍのデジタル音声データストリーム、あるいは第２ルータマトリックス１０８ｂのルーティングエンジン２５６から出力される３Ｍ＋１〜４Ｍのデジタル音声データストリームが、第４配信ルータコンポーネント１０８の出力であるか決定する。第１セレクタ回路２６２−１〜２６２−Ｍのそれぞれは、ルーティングエンジン２４６から出力されるデジタル音声データストリームあるいはルーティングエンジン２５４から出力されるデジタル音声データストリームが、第１セレクタ回路２６２−１〜２６２−Ｍによりわたされるか選択するための共通の制御入力（図示せず）を共有する。
【００４１】
これにより、上記方法により、第１配信ルータコンポーネント１０２、第２配信ルータコンポーネント１０４、第３配信ルータコンポーネント１０６及び第４配信ルータコンポーネント１０８のそれぞれは、ルータマトリックスの対、具体的には、ルータマトリックスペア１０２ａ及び１０２ｂ、１０４ａ及び１０４ｂ、１０６ａ及び１０６ｂ、並びに１０８ａ及び１０８ｂを有し、当該ルータマトリックスペアの一方が、故障時に他方に対するバックアップとして容易に機能するよう構成される。ルータマトリックスペアの２つをスイッチするため、具体的には、第１ルータマトリックス１０２ａから第２ルータマトリックス１０２ｂへスイッチするため、第１ルータマトリックス１０２ａの出力がセレクタ回路１６０−１〜１６０−Ｍにより以前にわたされた対応する第１セレクタ回路１６０−１〜１６０−Ｍへの共通の制御入力が、第１セレクタ回路１６０−１〜１６０−Ｍが第２ルータマトリックス１０２ｂの出力をわたすように、状態間においてスイッチされる。
【００４２】
その後、第１セレクタ回路１６０−１〜１６０−Ｍ、１９４−１〜１９４−Ｍ、２２８−１〜２２８−Ｍ及び２６２−１〜２６２−Ｍのそれぞれによってわたされる１〜Ｍ、Ｍ＋１〜２Ｍ、２Ｍ＋１〜３Ｍ及び３Ｍ＋１〜４Ｍのデジタル音声データストリームの各々が、対応する第２セレクタ回路１６２−１〜１６２−Ｍ、１９６−１〜１９６−Ｍ、２３０−１〜２３０−Ｍ及び２６４−１〜２６４−Ｍに伝搬される。ここで開示されるように、第２セレクタ回路１６２−１〜１６２−Ｍ、１９６−１〜１９６−Ｍ、２３０−１〜２３０−Ｍ及び２６４−１〜２６４−Ｍのそれぞれは、第１セレクタ回路１６０−１〜１６０−Ｍ、１９４−１〜１９４−Ｍ、２２８−１〜２２８−Ｍ及び２６２−１〜２６２−Ｍの対応する出力に接続される入力と、ＡＥＳ−１１規格に準拠する出力デジタル音声データストリームを送信するよう構成される第１出力１６４−１〜１６４−Ｍ、１９８−１〜１９８−Ｍ、２３２−１〜２３２−Ｍ及び２６６−１〜２６６−Ｍと、ＭＡＤＩ規格に準拠する出力デジタル音声データストリームを送信するよう構成される第２出力１６６−１〜１６６−Ｍ、２００−１〜２００−Ｍ、２３４−１〜２３４−Ｍ及び２６８−１〜２６８−Ｍとを有する１：２セレクタである。第２セレクタ回路１６２−１〜１６２−Ｍ、１９６−１〜１９６−Ｍ、２３０−１〜２３０−Ｍ及び２６４−１〜２６４−Ｍの各々は、さらに、ＡＥＳ−１１とＭＡＤＩ出力デジタル音声データストリームとの間の選択を行う制御入力（図示せず）を有する。
【００４３】
図面に示されていない本発明の他の実施例では、配信ルータコンポーネント１０２、１０４、１０６及び１０８が、例えば、ＡＥＳ−１１規格、ＭＡＤＩ規格またはここで具体的には記載しない他の規格などの単一の規格に準拠する入力デジタル音声データストリームを処理するよう構成される場合、セレクタ回路１３８−１〜１３８−Ｎ、１７６−１〜１７６−Ｎ、２１０−１〜２１０−Ｎ、２４４−１〜２４４−Ｎ、１６２−１〜１６２−Ｍ、１９６−１〜１９６−Ｍ、２３０−１〜２３０−Ｍ及び２６４−１〜２６４−Ｍは省略されてもよい。しかしながら、この構成によると、第１配信ルータコンポーネント１０２のＮの入力デジタル音声データストリームのそれぞれが、第１ルータマトリックス１０２ａのルーティングエンジン１４４、第１拡張ポート１４６、第２拡張ポート１４８及び第３拡張ポート１５０と、第２ルータマトリックス１０２ｂのルーティングエンジン１５２、第１拡張ポート１５４、第２拡張ポート１５６及び第３拡張ポート１５８とに直接供給されるであろう。同様に、第２配信ルータコンポーネント１０４のＮの入力デジタル音声データストリームのそれぞれが、第１ルータマトリックス１０４ａのルーティングエンジン１７８、第１拡張ポート１８０、第２拡張ポート１８２及び第３拡張ポート１８４と、第２ルータマトリックス１０４ｂのルーティングエンジン１８６、第１拡張ポート１８８、第２拡張ポート１９０及び第３拡張ポート１９２とに直接供給されるであろう。さらに同様に、第３配信ルータコンポーネント１０６のＮの入力デジタル音声データストリームのそれぞれが、第１ルータマトリックス１０６ａのルーティングエンジン２１２、第１拡張ポート２１４、第２拡張ポート２１６及び第３拡張ポート２１８と、第２ルータマトリックス１０６ｂのルーティングエンジン２２０、第１拡張ポート２２２、第２拡張ポート２２４及び第３拡張ポート２２６とに直接供給されるであろう。最後に、第４配信ルータコンポーネント１０８のＮの入力デジタル音声データストリームのそれぞれが、第１ルータマトリックス１０８ａのルーティングエンジン２４６、第１拡張ポート２４８、第２拡張ポート２５０及び第３拡張ポート２５２と、第２ルータマトリックス１０８ｂのルーティングエンジン２５４、第１拡張ポート２５６、第２拡張ポート２５８及び第３拡張ポート２６０とに直接供給されるであろう。さらに、本発明の当該実施例によると、第１配信ルータコンポーネント１０２、第２配信ルータコンポーネント１０４、第３配信ルータコンポーネント１０６及び第４配信ルータコンポーネント１０８の第１セレクタ回路１６０−１〜１６０−Ｍ、１９４−１〜１９４−Ｍ、２２８−１〜２２８−Ｍ及び２６２−１〜２６２−Ｍから出力されるＭの出力デジタル音声データストリームのそれぞれが、完全重複線形拡張可能な配信ルータ１００自体の出力となるであろう。
【００４４】
次に、図７〜１０を参照するに、完全重複線形拡張可能な配信ルータ１００の他の構成の配信ルータコンポーネントが詳細に説明される。より詳細には、第１配信ルータコンポーネント１０２、第２配信ルータコンポーネント１０４、第３配信ルータコンポーネント１０６及び第４配信ルータコンポーネント１０８のそれぞれに対して、第１、第２及び第３拡張ポートが、送信拡張ポート、第１受信拡張ポート、第２受信拡張ポート及び第３受信拡張ポートのために削除された。「送信」拡張ポートという用語は、選択された送信先にデータを送信する拡張ポートを呼ぶものである。同様に、「受信」拡張ポートという用語は、送信先からデータを受信する拡張ポートを呼ぶものである。
【００４５】
図７において、当該他の構成による第１配信ルータコンポーネント１０２が示される。図示されるように、第１ルータマトリックス１０２ａは、ルーティングエンジン１４４と、送信拡張ポート２７６と、第１受信拡張ポート２７８と、第２受信拡張ポート２８０と、第３受信拡張ポート２８２とから構成される。同様に、第２ルータマトリックス１０２ｂは、ルーティングエンジン１５２と、送信拡張ポート２８４と、第１受信拡張ポート２８６と、第２受信拡張ポート２８８と、第３受信拡張ポート２９０とから構成される。広い意味では、第１ルータマトリックス１０２ａの送信拡張ポート２７６は、第１配信ルータコンポーネント１０２のセレクタ回路１４０−１〜１４０−Ｎから受け取る入力デジタル音声データストリームが、複数の送信先への転送前にバッファリングされるメモリサブシステムと、セレクタ回路１４０−１〜１４０−Ｎから受け取る入力デジタル音声データストリームの、第２配信ルータコンポーネント１０４の第１ルータマトリックス１０４ａの受信拡張ポート、第３配信ルータコンポーネント１０６の第１ルータマトリックス１０６ａの受信拡張ポート及び第４配信ルータコンポーネント１０８の第１ルータマトリックス１０８ａの受信拡張ポートへの転送を制御するプロセッササブシステムとから構成される。他方、広い意味において、第１ルータマトリックス１０２ａの第１拡張ポート２７８、第２拡張ポート２８０及び第３拡張ポート２８２のそれぞれは、他の配信ルータコンポーネントの第１ルータマトリックスの送信拡張ポートから受け取る入力デジタル音声データストリームが、それの最終的な送信先への転送前にバッファリングされるメモリサブシステムと、その他の配信ルータコンポーネントの第１ルータマトリックスの送信拡張ポートから受け取る入力デジタル音声データストリームの、第１配信ルータコンポーネント１０２の第１ルータマトリックス１０２ａのルーティングエンジン１４４の入力への転送を制御するプロセッササブシステムとから構成される。
【００４６】
同様に、ある意味では、第２ルータマトリックス１０２ｂの送信拡張ポート２７６は、第１配信ルータコンポーネント１０２のセレクタ回路１４０−１〜１４０−Ｎから受け取る入力デジタル音声データストリームが、複数の送信先への転送前にバッファリングされるメモリサブシステムと、セレクタ回路１４０−１〜１４０−Ｎから受け取る入力デジタル音声データストリームの、第２配信ルータコンポーネント１０４の第２ルータマトリックス１０４ｂの受信拡張ポート、第３配信ルータコンポーネント１０６の第２ルータマトリックス１０６ｂの受信拡張ポート及び第４配信ルータコンポーネント１０８の第２ルータマトリックス１０８ｂの受信拡張ポートへの転送を制御するプロセッササブシステムとから構成される。他方、広い意味において、第２ルータマトリックス１０２ｂの第１拡張ポート２７８、第２拡張ポート２８０及び第３拡張ポート２８２のそれぞれは、他の配信ルータコンポーネントの第２ルータマトリックスの送信拡張ポートから受け取る入力デジタル音声データストリームが、それの最終的な送信先への転送前にバッファリングされるメモリサブシステムと、その他の配信ルータコンポーネントの第２ルータマトリックスの送信拡張ポートから受け取る入力デジタル音声データストリームの、第１配信ルータコンポーネント１０２の第２ルータマトリックス１０２ｂのルーティングエンジン１４４の入力への転送を制御するプロセッササブシステムとから構成される。
【００４７】
図８において、当該他の構成による第２配信ルータコンポーネント１０４が示される。図示されるように、第１ルータマトリックス１０４ａは、ルーティングエンジン１７８と、送信拡張ポート２９２と、第１受信拡張ポート２９４と、第２受信拡張ポート２９６と、第３受信拡張ポート２９８とから構成される。同様に、第２ルータマトリックス１０４ｂは、ルーティングエンジン１８６と、送信拡張ポート３００と、第１受信拡張ポート３０２と、第２受信拡張ポート３０４と、第３受信拡張ポート３０６とから構成される。広い意味では、第１ルータマトリックス１０４ａの送信拡張ポート２９２は、第２配信ルータコンポーネント１０４のセレクタ回路１７２−１〜１７２−Ｎから受け取る入力デジタル音声データストリームが、複数の送信先への転送前にバッファリングされるメモリサブシステムと、セレクタ回路１７２−１〜１７２−Ｎから受け取る入力デジタル音声データストリームの、第１配信ルータコンポーネント１０２の第１ルータマトリックス１０２ａの受信拡張ポート、第３配信ルータコンポーネント１０６の第１ルータマトリックス１０６ａの受信拡張ポート及び第４配信ルータコンポーネント１０８の第１ルータマトリックス１０８ａの受信拡張ポートへの転送を制御するプロセッササブシステムとから構成される。他方、広い意味において、第１ルータマトリックス１０４ａの第１拡張ポート２９４、第２拡張ポート２９６及び第３拡張ポート２９８のそれぞれは、他の配信ルータコンポーネントの第１ルータマトリックスの送信拡張ポートから受け取る入力デジタル音声データストリームが、それの最終的な送信先への転送前にバッファリングされるメモリサブシステムと、その他の配信ルータコンポーネントの第１ルータマトリックスの送信拡張ポートから受け取る入力デジタル音声データストリームの、第２配信ルータコンポーネント１０４の第１ルータマトリックス１０４ａのルーティングエンジン１７８の入力への転送を制御するプロセッササブシステムとから構成される。
【００４８】
同様に、ある意味では、第２ルータマトリックス１０４ｂの送信拡張ポート３００は、第２配信ルータコンポーネント１０４のセレクタ回路１７２−１〜１７２−Ｎから受け取る入力デジタル音声データストリームが、複数の送信先への転送前にバッファリングされるメモリサブシステムと、セレクタ回路１７２−１〜１７２−Ｎから受け取る入力デジタル音声データストリームの、第１配信ルータコンポーネント１０２の第２ルータマトリックス１０２ｂの受信拡張ポート、第３配信ルータコンポーネント１０６の第２ルータマトリックス１０６ｂの受信拡張ポート及び第４配信ルータコンポーネント１０８の第２ルータマトリックス１０８ｂの受信拡張ポートへの転送を制御するプロセッササブシステムとから構成される。他方、広い意味において、第２ルータマトリックス１０４ｂの第１拡張ポート３０３、第２拡張ポート３０４及び第３拡張ポート３０６のそれぞれは、他の配信ルータコンポーネントの第２ルータマトリックスの送信拡張ポートから受け取る入力デジタル音声データストリームが、それの最終的な送信先への転送前にバッファリングされるメモリサブシステムと、その他の配信ルータコンポーネントの第２ルータマトリックスの送信拡張ポートから受け取る入力デジタル音声データストリームの、第２配信ルータコンポーネント１０４の第２ルータマトリックス１０４ｂのルーティングエンジン１８６の入力への転送を制御するプロセッササブシステムとから構成される。
【００４９】
図９において、当該他の構成による第３配信ルータコンポーネント１０６が示される。図示されるように、第１ルータマトリックス１０６ａは、ルーティングエンジン２１２と、送信拡張ポート３０８と、第１受信拡張ポート３１０と、第２受信拡張ポート３１２と、第３受信拡張ポート３１４とから構成される。同様に、第２ルータマトリックス１０６ｂは、ルーティングエンジン２２０と、送信拡張ポート３１６と、第１受信拡張ポート３１８と、第２受信拡張ポート３２０と、第３受信拡張ポート３２２とから構成される。広い意味では、第１ルータマトリックス１０６ａの送信拡張ポート３０８は、第３配信ルータコンポーネント１０６のセレクタ回路２１０−１〜２１０−Ｎから受け取る入力デジタル音声データストリームが、複数の送信先への転送前にバッファリングされるメモリサブシステムと、セレクタ回路２１０−１〜２１０−Ｎから受け取る入力デジタル音声データストリームの、第１配信ルータコンポーネント１０２の第１ルータマトリックス１０２ａの受信拡張ポート、第２配信ルータコンポーネント１０４の第１ルータマトリックス１０４ａの受信拡張ポート及び第４配信ルータコンポーネント１０８の第１ルータマトリックス１０８ａの受信拡張ポートへの転送を制御するプロセッササブシステムとから構成される。他方、広い意味において、第１ルータマトリックス１０６ａの第１拡張ポート３１０、第２拡張ポート３１２及び第３拡張ポート３１４のそれぞれは、他の配信ルータコンポーネントの第１ルータマトリックスの送信拡張ポートから受け取る入力デジタル音声データストリームが、それの最終的な送信先への転送前にバッファリングされるメモリサブシステムと、その他の配信ルータコンポーネントの第１ルータマトリックスの送信拡張ポートから受け取る入力デジタル音声データストリームの、第３配信ルータコンポーネント１０６の第１ルータマトリックス１０６ａのルーティングエンジン２１２の入力への転送を制御するプロセッササブシステムとから構成される。
【００５０】
同様に、ある意味では、第２ルータマトリックス１０６ｂの送信拡張ポート３１６は、第３配信ルータコンポーネント１０６のセレクタ回路２１０−１〜２１０−Ｎから受け取る入力デジタル音声データストリームが、複数の送信先への転送前にバッファリングされるメモリサブシステムと、セレクタ回路２１０−１〜２１０−Ｎから受け取る入力デジタル音声データストリームの、第１配信ルータコンポーネント１０２の第２ルータマトリックス１０２ｂの受信拡張ポート、第２配信ルータコンポーネント１０４の第２ルータマトリックス１０４ｂの受信拡張ポート及び第４配信ルータコンポーネント１０８の第２ルータマトリックス１０８ｂの受信拡張ポートへの転送を制御するプロセッササブシステムとから構成される。他方、広い意味において、第２ルータマトリックス１０６ｂの第１拡張ポート３１８、第２拡張ポート３２０及び第３拡張ポート３２２のそれぞれは、他の配信ルータコンポーネントの第２ルータマトリックスの送信拡張ポートから受け取る入力デジタル音声データストリームが、それの最終的な送信先への転送前にバッファリングされるメモリサブシステムと、その他の配信ルータコンポーネントの第２ルータマトリックスの送信拡張ポートから受け取る入力デジタル音声データストリームの、第３配信ルータコンポーネント１０６の第２ルータマトリックス１０６ｂのルーティングエンジン２２０の入力への転送を制御するプロセッササブシステムとから構成される。
【００５１】
図１０において、当該他の構成による第４配信ルータコンポーネント１０８が示される。図示されるように、第１ルータマトリックス１０８ａは、ルーティングエンジン２４６と、送信拡張ポート３２４と、第１受信拡張ポート３２６と、第２受信拡張ポート３２８と、第３受信拡張ポート３３０とから構成される。同様に、第２ルータマトリックス１０８ｂは、ルーティングエンジン２５４と、送信拡張ポート３３２と、第１受信拡張ポート３３４と、第２受信拡張ポート３３６と、第３受信拡張ポート３３８とから構成される。広い意味では、第１ルータマトリックス１０８ａの送信拡張ポート３２４は、第４配信ルータコンポーネント１０８のセレクタ回路２４４−１〜２４４−Ｎから受け取る入力デジタル音声データストリームが、複数の送信先への転送前にバッファリングされるメモリサブシステムと、セレクタ回路２４４−１〜２４４−Ｎから受け取る入力デジタル音声データストリームの、第１配信ルータコンポーネント１０２の第１ルータマトリックス１０２ａの受信拡張ポート、第２配信ルータコンポーネント１０４の第１ルータマトリックス１０４ａの受信拡張ポート及び第３配信ルータコンポーネント１０６の第１ルータマトリックス１０６ａの受信拡張ポートへの転送を制御するプロセッササブシステムとから構成される。他方、広い意味において、第１ルータマトリックス１０８ａの第１拡張ポート３２６、第２拡張ポート３２８及び第３拡張ポート３３０のそれぞれは、他の配信ルータコンポーネントの第１ルータマトリックスの送信拡張ポートから受け取る入力デジタル音声データストリームが、それの最終的な送信先への転送前にバッファリングされるメモリサブシステムと、その他の配信ルータコンポーネントの第１ルータマトリックスの送信拡張ポートから受け取る入力デジタル音声データストリームの、第４配信ルータコンポーネント１０８の第１ルータマトリックス１０８ａのルーティングエンジン２４６の入力への転送を制御するプロセッササブシステムとから構成される。
【００５２】
同様に、ある意味では、第２ルータマトリックス１０８ｂの送信拡張ポート３３２は、第４配信ルータコンポーネント１０８のセレクタ回路２４４−１〜２４４−Ｎから受け取る入力デジタル音声データストリームが、複数の送信先への転送前にバッファリングされるメモリサブシステムと、セレクタ回路２４４−１〜２４４−Ｎから受け取る入力デジタル音声データストリームの、第１配信ルータコンポーネント１０２の第２ルータマトリックス１０２ｂの受信拡張ポート、第２配信ルータコンポーネント１０４の第２ルータマトリックス１０４ｂの受信拡張ポート及び第３配信ルータコンポーネント１０６の第２ルータマトリックス１０６ｂの受信拡張ポートへの転送を制御するプロセッササブシステムとから構成される。他方、広い意味において、第２ルータマトリックス１０６ｂの第１拡張ポート３３４、第２拡張ポート３３６及び第３拡張ポート３３８のそれぞれは、他の配信ルータコンポーネントの第２ルータマトリックスの送信拡張ポートから受け取る入力デジタル音声データストリームが、それの最終的な送信先への転送前にバッファリングされるメモリサブシステムと、その他の配信ルータコンポーネントの第２ルータマトリックスの送信拡張ポートから受け取る入力デジタル音声データストリームの、第４配信ルータコンポーネント１０８の第２ルータマトリックス１０８ｂのルーティングエンジン２５４の入力への転送を制御するプロセッササブシステムとから構成される。
【００５３】
次に、図７〜１０を参照するに、個別の入力デジタル音声データストリームがセレクタ回路１３８−１〜１３８−Ｎのそれぞれから出力されるとき、第１配信ルータコンポーネント１０２の第１ルータマトリックス１０２ａのルーティングエンジン１４４と送信拡張ポート２７６に供給される入力デジタル音声データストリームは、音声データ入力ストリーム１〜Ｎとなる。同様に、第２配信ルータコンポーネント１０４の第１ルータマトリックス１０４ａのルーティングエンジン１７８と送信拡張ポート２９２に供給される入力デジタル音声データストリームは、音声データ入力ストリームＮ＋１〜２Ｎとなり、第３配信ルータコンポーネント１０６の第１ルータマトリックス１０６ａのルーティングエンジン２１２と送信拡張ポート３０８に供給される入力デジタル音声データストリームは、音声データ入力ストリーム２Ｎ＋１〜３Ｎとなり、第４配信ルータコンポーネント１０８の第１ルータマトリックス１０８ａのルーティングエンジン２４６と送信拡張ポート３２４に供給される入力デジタル音声データストリームは、音声データ入力ストリーム３Ｎ＋１〜４Ｎとなる。
【００５４】
前述のように、４Ｎ×４Ｍの配信ルータとして機能するため、第１配信ルータコンポーネント１０２の第１ルータマトリックス１０２ａのルーティングエンジン１４４、第２配信ルータコンポーネント１０４の第１ルータマトリックス１０４ａのルーティングエンジン１７８、第３配信ルータコンポーネント１０６の第１ルータマトリックス１０６ａのルーティングエンジン２１２、及び第４配信ルータコンポーネント１０８の第１ルータマトリックス１０８ａのルーティングエンジン２４６は、それらの入力側への入力として与えられる入力デジタル音声データストリーム１〜４Ｎのすべてを有する必要がある。第１配信ルータコンポーネント１０２の第１ルータマトリックス１０２ａのルーティングエンジン１４４に対して、入力デジタル音声データストリーム１〜Ｎが、ルーティングエンジン１４４の入力側に直接与えられる。他方、送信拡張ポート２７６に入力された入力デジタル音声データストリーム１〜Ｎは、リンク１１０を介して第２配信ルータコンポーネント１０４の第１ルータマトリックス１０４ａの第１受信拡張ポート２９４に、リンク１１２を介して第３配信ルータコンポーネント１０６の第１ルータマトリックス１０６ａの第２受信拡張ポート３１２に、及びリンク１１４を介して第４配信ルータコンポーネント１０８の第１ルータマトリックス１０８ａの第２受信拡張ポート３３０に転送される。第２配信ルータコンポーネント１０４の第１ルータマトリックス１０４ａの第１受信拡張ポート２９４と、第３配信ルータコンポーネント１０６の第１ルータマトリックス１０６ａの第２受信拡張ポート３１２と、第４配信ルータコンポーネント１０８の第１ルータマトリックス１０８ａの第２受信拡張ポート３３０とから、入力デジタル音声データストリーム１〜Ｎは、第２配信ルータコンポーネント１０４の第１ルータマトリックス１０４ａのルーティングエンジン１７８、第３配信ルータコンポーネント１０６の第１ルータマトリックス１０６ａのルーティングエンジン２１２、及び第４配信ルータコンポーネント１０８の第１ルータマトリックス１０８ａのルーティングエンジン２４６に入力される。
【００５５】
同様に、第２配信ルータコンポーネント１０４の第１ルータマトリックス１０４ａに対して、入力デジタル音声データストリームＮ＋１〜２Ｎが、ルーティングエンジン１７８の入力側に直接与えられる。他方、送信拡張ポート２９２に入力された入力デジタル音声データストリームＮ＋１〜２Ｎは、リンク１１０を介して第１配信ルータコンポーネント１０２の第１ルータマトリックス１０２ａの第１受信拡張ポート２７８に、リンク１１６を介して第３配信ルータコンポーネント１０６の第１ルータマトリックス１０６ａの第１受信拡張ポート３１０に、及びリンク１１８を介して第４配信ルータコンポーネント１０８の第１ルータマトリックス１０８ａの第２受信拡張ポート３２８に転送される。第１配信ルータコンポーネント１０２の第１ルータマトリックス１０２ａの第１受信拡張ポート２７８と、第３配信ルータコンポーネント１０６の第１ルータマトリックス１０６ａの第１受信拡張ポート３１０と、第４配信ルータコンポーネント１０８の第１ルータマトリックス１０８ａの第２受信拡張ポート３２８とから、入力デジタル音声データストリームＮ＋１〜２Ｎは、第１配信ルータコンポーネント１０２の第１ルータマトリックス１０２ａのルーティングエンジン１４４、第３配信ルータコンポーネント１０６の第１ルータマトリックス１０６ａのルーティングエンジン２１２、及び第４配信ルータコンポーネント１０８の第１ルータマトリックス１０８ａのルーティングエンジン２４６に入力される。
【００５６】
第３配信ルータコンポーネント１０６の第１ルータマトリックス１０６ａに対して、入力デジタル音声データストリーム２Ｎ＋１〜３Ｎが、ルーティングエンジン２１２の入力側に直接与えられる。他方、送信拡張ポート３０８に入力された入力デジタル音声データストリーム２Ｎ＋１〜３Ｎは、リンク１１６を介して第２配信ルータコンポーネント１０４の第１ルータマトリックス１０４ａの第２受信拡張ポート２９６に、リンク１１２を介して第１配信ルータコンポーネント１０２の第１ルータマトリックス１０２ａの第２受信拡張ポート２８０に、及びリンク１２０を介して第４配信ルータコンポーネント１０８の第１ルータマトリックス１０８ａの第１受信拡張ポート３２６に転送される。第２配信ルータコンポーネント１０４の第１ルータマトリックス１０４ａの第２受信拡張ポート２９６と、第１配信ルータコンポーネント１０２の第１ルータマトリックス１０２ａの第２受信拡張ポート２８０と、第４配信ルータコンポーネント１０８の第１ルータマトリックス１０８ａの第１受信拡張ポート３２６とから、入力デジタル音声データストリーム２Ｎ＋１〜３Ｎは、第１配信ルータコンポーネント１０２の第１ルータマトリックス１０２ａのルーティングエンジン１４４、第２配信ルータコンポーネント１０４の第１ルータマトリックス１０４ａのルーティングエンジン１７８、及び第４配信ルータコンポーネント１０８の第１ルータマトリックス１０８ａのルーティングエンジン２４６に入力される。
【００５７】
最後に、第４配信ルータコンポーネント１０８の第１ルータマトリックス１０８ａに対して、入力デジタル音声データストリーム３Ｎ＋１〜４Ｎが、ルーティングエンジン２４６の入力側に直接与えられる。他方、送信拡張ポート３２４に入力された入力デジタル音声データストリーム３Ｎ＋１〜４Ｎは、リンク１２０を介して第３配信ルータコンポーネント１０６の第１ルータマトリックス１０６ａの第３受信拡張ポート３１４に、リンク１１８を介して第２配信ルータコンポーネント１０４の第１ルータマトリックス１０４ａの第３受信拡張ポート２９８に、及びリンク１１４を介して第１配信ルータコンポーネント１０２の第１ルータマトリックス１０２ａの第３受信拡張ポート２８２に転送される。第１配信ルータコンポーネント１０２の第１ルータマトリックス１０２ａの第３受信拡張ポート２８２と、第２配信ルータコンポーネント１０４の第１ルータマトリックス１０４ａの第３受信拡張ポート２９８と、第３配信ルータコンポーネント１０６の第１ルータマトリックス１０６ａの第３受信拡張ポート３１４とから、入力デジタル音声データストリーム３Ｎ＋１〜４Ｎは、第１配信ルータコンポーネント１０２の第１ルータマトリックス１０２ａのルーティングエンジン１４４、第２配信ルータコンポーネント１０４の第１ルータマトリックス１０４ａのルーティングエンジン１７８、及び第３配信ルータコンポーネント１０６の第１ルータマトリックス１０６ａのルーティングエンジン２１２に入力される。このようにして、第１配信ルータコンポーネント１０２の第１ルータマトリックス１０２ａのルーティングエンジン１４４、第２配信ルータコンポーネント１０４の第１ルータマトリックス１０４ａのルーティングエンジン１７８、第３配信ルータコンポーネント１０６の第１ルータマトリックス１０６ａのルーティングエンジン２１２、及び第４配信ルータコンポーネント１０８の第１ルータマトリックス１０８ａのルーティングエンジン２４６のすべてが、それらへの入力として、入力デジタル音声データストリーム１〜４Ｎを受信する。
【００５８】
本実施例では、第２ルータマトリックス１０２ｂ、１０４ｂ、１０６ｂ及び１０８ｂは、各自の第１ルータマトリックス１０２ａ、１０４ａ、１０６ａ及び１０８ａの故障時に利用可能な重複ルータマトリックスである。重複マトリックスとして機能するため、第２ルータマトリックス１０２ｂ、１０４ｂ、１０６ｂ及び１０８ｂは、第１ルータマトリックス１０２ａ、１０４ａ、１０６ａ及び１０８ａの対応するものと同一の入出力デジタルデータストリームを送受信する必要がある。従って、セレクタ回路１３８−１〜１３８−Ｎはまた、入力デジタル音声データストリーム１〜Ｎを、第１配信ルータコンポーネント１０２の第２ルータマトリックス１０２ｂのルーティングエンジン１５２と送信拡張ポート２８４のそれぞれに供給する。同様に、セレクタ回路１７６−１〜１７６−Ｎはまた、入力デジタル音声データストリームＮ＋１〜２Ｎを、第２配信ルータコンポーネント１０４の第２ルータマトリックス１０４ｂのルーティングエンジン１８６と送信拡張ポート３００のそれぞれに供給し、セレクタ回路２１０−１〜２１０−Ｎはまた、入力デジタル音声データストリーム２Ｎ＋１〜３Ｎを、第３配信ルータコンポーネント１０６の第２ルータマトリックス１０６ｂのルーティングエンジン２２０と送信拡張ポート３１６のそれぞれに供給し、セレクタ回路２４４−１〜２４４−Ｎはまた、入力デジタル音声データストリーム３Ｎ＋１〜４Ｎを、第４配信ルータコンポーネント１０８の第２ルータマトリックス１０８ｂのルーティングエンジン２５４と送信拡張ポート３３２のそれぞれに供給する。
【００５９】
また前述のように、第１配信ルータコンポーネント１０２の第２ルータマトリックス１０２ｂのルーティングエンジン１５２、第２配信ルータコンポーネント１０４の第２ルータマトリックス１０４ｂのルーティングエンジン１８６、第３配信ルータコンポーネント１０６の第２ルータマトリックス１０６ｂのルーティングエンジン２２０、及び第４配信ルータコンポーネント１０８の第２ルータマトリックス１０８ｂのルーティングエンジン２５４は、それらへの入力として与えられる入力デジタル音声データストリーム１〜４Ｎのすべてを有する必要がある。第１配信ルータコンポーネント１０２の第２ルータマトリックス１０２ｂのルーティングエンジン１５２に対して、セレクタ回路１３８−１〜１３８−Ｎは、それらへの入力として入力デジタル音声データストリーム１〜Ｎを与える。他方、送信拡張ポート２８４に入力される入力デジタル音声データストリーム１〜Ｎは、リンク１２２を介して第２配信ルータコンポーネント１０４の第２ルータマトリックス１０４ｂの第１受信拡張ポート３０６に、リンク１２４を介して第３配信ルータコンポーネント１０６の第２ルータマトリックス１０６ｂの第２受信拡張ポート３２０に、リンク１２６を介して第４配信ルータコンポーネント１０８の第２ルータマトリックス１０８ｂの第１受信拡張ポート３３４に転送される。第２配信コンポーネント１０４の第２ルータマトリックス１０４ｂの第１受信拡張ポート３０６と、第３配信ルータコンポーネント１０６の第２ルータマトリックス１０６ｂの第２受信拡張ポート３２０と、第４配信ルータコンポーネント１０８の第２ルータマトリックス１０８ｂの第１受信拡張ポート３３４とから、入力デジタル音声データストリーム１〜Ｎが、第２配信ルータコンポーネント１０４の第２ルータマトリックス１０４ｂのルーティングエンジン１８６、第３配信ルータコンポーネント１０６の第２ルータマトリックス１０６ｂのルーティングエンジン２２０、及び第４配信ルータコンポーネントの第２ルータマトリックス１０８ｂのルーティングエンジン２５４に入力される。
【００６０】
同様に、第２配信ルータコンポーネント１０４の第２ルータマトリックス１０４ｂに対して、入力デジタル音声データストリームＮ＋１〜２Ｎが、ルーティングエンジン１８６の入力側に直接与えられる。他方、送信拡張ポート３００に入力された入力デジタル音声データストリームＮ＋１〜２Ｎは、リンク１２２を介して第１配信ルータコンポーネント１０２の第２ルータマトリックス１０２ｂの第３受信拡張ポート２９０に、リンク１２８を介して第３配信ルータコンポーネント１０６の第２ルータマトリックス１０６ｂの第３受信拡張ポート３２２に、及びリンク１３０を介して第４配信ルータコンポーネント１０８の第２ルータマトリックス１０８ｂの第２受信拡張ポート３３６に転送される。第１配信ルータコンポーネント１０２の第２ルータマトリックス１０２ｂの第３受信拡張ポート２９０と、第３配信ルータコンポーネント１０６の第２ルータマトリックス１０６ｂの第３受信拡張ポート３２２と、第４配信ルータコンポーネント１０８の第２ルータマトリックス１０８ｂの第２受信拡張ポート３３６とから、入力デジタル音声データストリームＮ＋１〜２Ｎは、第１配信ルータコンポーネント１０２の第２ルータマトリックス１０２ｂのルーティングエンジン１５２、第３配信ルータコンポーネント１０６の第２ルータマトリックス１０６ｂのルーティングエンジン２２０、及び第４配信ルータコンポーネント１０８の第２ルータマトリックス１０８ｂのルーティングエンジン２５４に入力される。
【００６１】
第３配信ルータコンポーネント１０６の第２ルータマトリックス１０６ｂに対して、入力デジタル音声データストリーム２Ｎ＋１〜３Ｎが、ルーティングエンジン２２０の入力側に直接与えられる。他方、送信拡張ポート３１６に入力された入力デジタル音声データストリーム２Ｎ＋１〜３Ｎは、リンク１２８を介して第２配信ルータコンポーネント１０４の第２ルータマトリックス１０４ｂの第２受信拡張ポート３０４に、リンク１２４を介して第１配信ルータコンポーネント１０２の第２ルータマトリックス１０２ｂの第１受信拡張ポート２８６に、及びリンク１３２を介して第４配信ルータコンポーネント１０８の第２ルータマトリックス１０８ｂの第３受信拡張ポート３３８に転送される。第２配信ルータコンポーネント１０４の第２ルータマトリックス１０４ｂの第２受信拡張ポート３０４と、第１配信ルータコンポーネント１０２の第２ルータマトリックス１０２ｂの第１受信拡張ポート２８６と、第４配信ルータコンポーネント１０８の第２ルータマトリックス１０８ｂの第３受信拡張ポート３３８とから、入力デジタル音声データストリーム２Ｎ＋１〜３Ｎは、第１配信ルータコンポーネント１０２の第２ルータマトリックス１０２ｂのルーティングエンジン１５２、第２配信ルータコンポーネント１０４の第２ルータマトリックス１０４ｂのルーティングエンジン１８６、及び第４配信ルータコンポーネント１０８の第２ルータマトリックス１０８ｂのルーティングエンジン２５４に入力される。
【００６２】
最後に、第４配信ルータコンポーネント１０８の第２ルータマトリックス１０８ｂに対して、入力デジタル音声データストリーム３Ｎ＋１〜４Ｎが、ルーティングエンジン２５４の入力側に直接与えられる。他方、送信拡張ポート３３２に入力された入力デジタル音声データストリーム３Ｎ＋１〜４Ｎは、リンク１３２を介して第３配信ルータコンポーネント１０６の第２ルータマトリックス１０６ｂの第１受信拡張ポート３１８に、リンク１３０を介して第２配信ルータコンポーネント１０４の第２ルータマトリックス１０４ｂの第１受信拡張ポート３０２に、及びリンク１２６を介して第１配信ルータコンポーネント１０２の第２ルータマトリックス１０２ｂの第２受信拡張ポート２８８に転送される。第１配信ルータコンポーネント１０２の第２ルータマトリックス１０２ｂの第２受信拡張ポート２８８と、第２配信ルータコンポーネント１０４の第２ルータマトリックス１０４ｂの第１受信拡張ポート３０２と、第３配信ルータコンポーネント１０６の第２ルータマトリックス１０６ｂの第１受信拡張ポート３１８とから、入力デジタル音声データストリーム３Ｎ＋１〜４Ｎは、第１配信ルータコンポーネント１０２の第２ルータマトリックス１０２ｂのルーティングエンジン１５２、第２配信ルータコンポーネント１０４の第２ルータマトリックス１０４ｂのルーティングエンジン１８６、及び第３配信ルータコンポーネント１０６の第２ルータマトリックス１０６ｂのルーティングエンジン２２０に入力される。このようにして、第１配信ルータコンポーネント１０２の第２ルータマトリックス１０２ｂのルーティングエンジン１５２、第２配信ルータコンポーネント１０４の第２ルータマトリックス１０４ｂのルーティングエンジン１８６、第３配信ルータコンポーネント１０６の第２ルータマトリックス１０６ｂのルーティングエンジン２２０、及び第４配信ルータコンポーネント１０８の第２ルータマトリックス１０８ｂのルーティングエンジン２５４のすべてが、それらへの入力として、入力デジタル音声データストリーム１〜４Ｎを受信する。その後、入力デジタル音声ストリーム１〜４Ｎのさらなる処理が、図２〜５に関して上述された方法により進められる。
【００６３】
以上、線形拡張可能な配信ルータを構成する複数の配信ルータコンポーネント間において完全接続トポロジーを利用することにより、従来の複数の配信ルータコンポーネントを相互接続するための複数のバス構成を用いた線形拡張可能な配信ルータに対して、より向上した耐故障性を享受するロウバストな線形拡張可能な配信ルータが開示及び例示された。さらに、冗長なリンクを削除することにより、線形拡張可能な配信ルータは、多くの配信ルータが必要とする経済性及びコスト効果に対する解法を示す。ここでは、本発明の好適な実施例が例示及び説明されたが、本発明の趣旨または教示から逸脱することなく、本発明が属する技術分野における当業者により、様々な修正及び他の変更が可能である。従って、保護範囲は、ここで説明された実施例に限定されるのでなく、以下のクレームにのみ限定されるものである。
【符号の説明】
【００６４】
１００  配信ルータ１００
１０２〜１０８  配信ルータコンポーネント
【図１】
2011030248.tif 000003
【図２】
2011030248.tif 000004
【図３】
2011030248.tif 000005
【図４】
2011030248.tif 000006
【図５】
2011030248.tif 000007
【図６】
2011030248.tif 000008
【図７】
2011030248.tif 000009
【図８】
2011030248.tif 000010
【図９】
2011030248.tif 000011
【図１０】
2011030248.tif 000012